(57)【要約】      （修正有）【課題】入力側に設けた電源ユニット及び信号ユニットと出力側に設けた電力機器との間に、スライドファスナーを介在させ、その閉成作用によって電力機器を機能させる入出力ラインを提供する。【解決手段】相対するファスナーテープ１０の開閉端の縁部に沿って向かい合わせに列設されたエレメント２０とスライダー３０とから構成され、スライダー３０を向かい合わせに配置したエレメント２０に沿って摺動させてエレメント２０を噛み合させることにより相対するファスナーテープ１０であって、水平方向の開閉端及び上下の垂直方向の開閉端のうち、何れか１つの開閉端に電源入力ラインおよび／または信号入出力ラインを接続若しくは電源入力ラインおよび／または信号入出力ラインを接続した入力電極部を同時に係合、又はプッシュインで後から接合して電源および／または信号の入出力ラインを形成する。【選択図】図４
2013093262.tif 000002
【特許請求の範囲】
【請求項１】
入力側に設けた電源ユニット及び信号ユニットと出力側に設けた電力機器との間にスライドファスナーを介在させ、その閉成作用によって前記スライドファスナーの入力側に前記電源ユニット及び信号ユニットを接続する入力電極部と前記スライドファスナーの出力側に前記電力機器を接続する出力電極部とを経由して前記電力機器を機能させる入出力ラインを形成するにあたり、
相対するファスナーテープの開閉端の縁部に沿って向かい合わせに列設されたエレメントとスライダーとから構成され、
前記エレメントは、水平方向の一方に設けた噛み合せ部及び他方に設けたファスナーテープ固定部と、前記水平方向に対して上下の垂直方向に延設し、上方の垂直方向に延設した部分を鉤形に屈曲したエレメント上脚部及び下方の垂直方向に延設した部分を鉤形に屈曲したエレメント下脚部とを備え、前記エレメントを向かい合わせに配置して、向かい合わせに配置したエレメントの噛み合せ部の噛合・離脱に協働して向かい合わせに配置したエレメント上脚部の先端を近接・離散して形成する上方保持部と、向かい合わせに配置したエレメント下脚部の先端を近接・離散して形成する下方保持部とを形成し、
前記エレメント上脚部及びエレメント下脚部をともに弾力性のない部材で形成したスライドファスナーの場合、前記スライダーを前記向かい合わせに配置したエレメントに沿って摺動させて前記エレメントを噛み合させることにより相対するファスナーテープである水平方向の開閉端を開閉するとともに上方保持部及び下方保持部に前記入力電極部若しくは前記出力電極部を同時に係合して上下の垂直方向の開閉端を開閉し、前記エレメント上脚部及びエレメント下脚部のうち少なくとも一方を弾力性のある部材で形成したスライドファスナーの場合、前記スライダーを前記向かい合わせに配置したエレメントに沿って摺動させて前記エレメントを噛み合させることにより相対するファスナーテープである水平方向の開閉端を開閉するとともに上方保持部及び下方保持部に前記入力電極部若しくは前記出力電極部を同時に係合、又はプッシュインで後から接合して上下の垂直方向の開閉端を開閉するスライドファスナーであって、
前記水平方向の開閉端及び前記上下の垂直方向の開閉端のうち、何れか１つの開閉端に電源入力ラインおよび／または信号入出力ラインを接続若しくは電源入力ラインおよび／または信号入出力ラインを接続した前記入力電極部を同時に係合、又はプッシュインで後から接合し、他の開閉端に前記電力機器への電源出力ラインおよび／または信号入出力ラインを接続若しくは前記電力機器への電源出力ラインおよび／または信号入出力ラインを接続した前記出力電極部を同時に係合、又はプッシュインで後から接合して電源および／または信号の入出力ラインを形成することを特徴とするスライドファスナー。
【請求項２】
請求項１記載のスライドファスナーであって、前記水平方向の開閉端、前記上下の垂直方向の開閉端のうち、前記電源入力ラインおよび／または信号入出力ライン、前記電力機器への電源出力ラインおよび／または信号入出力ラインが接続若しくは前記電源入力ラインおよび／または信号入出力ラインを接続した入力電極部、前記電力機器への電源出力ラインおよび／または信号入出力ラインを接続した出力電極部が同時に係合、又はプッシュインで後から接合された開閉端である前記相対するファスナーテープ、前記上方保持部を形成するエレメント上脚部の先端部及び内側、前記下方保持部を形成するエレメント下脚部の先端部及び内側に、前記噛み合せ部の内部で或いは表面に沿って電気的に繋がっている各電極をそれぞれ埋め込んだことを特徴とするスライドファスナー。
【請求項３】
入力側に設けた電源ユニット及び信号ユニットと出力側に設けた電力機器との間にスライドファスナーを介在させ、その閉成作用によって前記スライドファスナーの入力側に前記電源ユニット及び信号ユニットを接続する入力電極部と前記スライドファスナーの出力側に前記電力機器を接続する出力電極部と前記スライドファスナーを複数個連結接続するとともに連結部の途中から外部入出力端部を設けた連結電極部とを経由して前記電力機器を機能させる入出力ラインを形成するにあたり、
相対するファスナーテープの開閉端の縁部に沿って向かい合わせに列設されたエレメントとスライダーとから構成され、
前記エレメントは、水平方向の一方に設けた噛み合せ部及び他方に設けたファスナーテープ固定部と、前記水平方向に対して上下の垂直方向に延設し、上方の垂直方向に延設した部分を鉤形に屈曲したエレメント上脚部及び下方の垂直方向に延設した部分を鉤形に屈曲したエレメント下脚部とを備え、前記エレメントを向かい合わせに配置して、向かい合わせに配置したエレメントの噛み合せ部の噛合・離脱に協働して向かい合わせに配置したエレメント上脚部の先端を近接・離散して形成する上方保持部と、向かい合わせに配置したエレメント下脚部の先端を近接・離散して形成する下方保持部とを形成し、
前記スライダーを前記向かい合わせに配置したエレメントに沿って摺動させて前記エレメントを噛み合させることにより相対するファスナーテープである水平方向の開閉端を開閉するとともに上方保持部及び下方保持部に前記入力電極部若しくは前記出力電極部を係合して上下の垂直方向の開閉端を開閉するファスナーユニットを複数個備えたスライドファスナーであって、
前記エレメント上脚部及び前記エレメント下脚部を弾力性のない部材で形成したファスナーユニットと前記エレメント上脚部及び前記エレメント下脚部のうち少なくとも一方を弾力性のある部材で形成したファスナーユニットとをそれぞれ備え、
前記複数個のファスナーユニットが弾力性のない部材で形成したエレメント上脚部及びエレメント下脚部を有するファスナーユニットの場合、各ファスナーユニットのスライダーを前記各ファスナーユニットの向かい合わせに配置したエレメントに沿って摺動させて前記各ファスナーユニットのエレメントを噛み合わせるときに１つ目のファスナーユニットの上方保持部と２つ目のファスナーユニットの下方保持部又は１つ目のファスナーユニットの下方保持部と２つ目のファスナーユニットの上方保持部を前記連結電極部を用いて連結して、順次新しいファスナーユニットの下方保持部と１つ前のファスナーユニットの上方保持部又は順次新しいファスナーユニットの上方保持部と１つ前のファスナーユニットの下方保持部を前記連結電極部を用いて連結し、
前記複数個のファスナーユニットが少なくとも一方を弾力性のある部材で形成したエレメント上脚部及びエレメント下脚部を有するファスナーユニットの場合、他方が弾力性のない部材で形成したエレメント上脚部及びエレメント下脚部の場合には各ファスナーユニットのスライダーを前記各ファスナーユニットの向かい合わせに配置したエレメントに沿って摺動させて前記各ファスナーユニットのエレメントを噛み合わせるときに１つ目のファスナーユニットの上方保持部と２つ目のファスナーユニットの下方保持部又は１つ目のファスナーユニットの下方保持部と２つ目のファスナーユニットの上方保持部を前記連結電極部を用いて連結して、順次新しいファスナーユニットの下方保持部と１つ前のファスナーユニットの上方保持部又は順次新しいファスナーユニットの上方保持部と１つ前のファスナーユニットの下方保持部を前記連結電極部を用いて連結し、他方が弾力性のある部材で形成したエレメント上脚部及びエレメント下脚部の場合には各ファスナーユニットのスライダーを前記各ファスナーユニットの向かい合わせに配置したエレメントに沿って摺動させて前記各ファスナーユニットのエレメントを噛み合わせるときに１つ目のファスナーユニットの上方保持部と２つ目のファスナーユニットの下方保持部又は１つ目のファスナーユニットの下方保持部と２つ目のファスナーユニットの上方保持部を前記連結電極部に噛み合せるときに連結、又は後からプッシュインで連接して、順次新しいファスナーユニットの下方保持部と１つ前のファスナーユニットの上方保持部又は順次新しいファスナーユニットの上方保持部と１つ前のファスナーユニットの下方保持部を前記連結電極部に噛み合せるときに連結、又は後からプッシュインで連接して複数のファスナーユニットを重層構造にするとともに、
前記重層構造とした複数のファスナーユニットの水平方向の開閉端及び最上位置と最下位置のファスナーユニットの垂直方向の開閉端のうち、何れか１つの開閉端に電源入力ラインおよび／または信号入出力ラインを接続若しくは電源入力ラインおよび／または信号入出力ラインを接続した前記入力電極部を係合、又はプッシュインで接合し、他の開閉端に前記電力機器への電源出力ラインおよび／または信号入出力ラインを接続若しくは前記電力機器への電源出力ラインおよび／または信号入出力ラインを接続した前記出力電極部を係合、又はプッシュインで接合して電源および／または信号の入出力ラインを形成することを特徴とするスライドファスナー。
【請求項４】
請求項３記載のスライドファスナーであって、前記重層構造とした複数個のファスナーユニットの水平方向の開閉端、最上位置と最下位置のファスナーユニットの垂直方向の開閉端のうち、前記電源入力ラインおよび／または信号入出力ライン、前記電力機器への電源出力ラインおよび／または信号入出力ラインが接続若しくは前記電源入力ラインおよび／または信号入出力ラインを接続した入力電極部、前記電力機器への電源出力ラインおよび／または信号入出力ラインを接続した出力電極部が係合、又はプッシュインで接合された開閉端である前記相対するファスナーテープ、前記上方保持部を形成するエレメント上脚部の先端部及び内側、前記下方保持部を形成するエレメント下脚部の先端部及び内側に、前記噛み合せ部の内部で或いは表面に沿って電気的に繋がっている各電極をそれぞれ埋め込んだことを特徴とするスライドファスナー。
【請求項５】
入力側に設けた電源ユニット及び信号ユニットと出力側に設けた電力機器との間にスライドファスナーを介在させ、その閉成作用によって前記スライドファスナーの入力側に前記電源ユニット及び信号ユニットを接続する入力電極部と前記スライドファスナーの出力側に前記電力機器を接続する出力電極部とを経由して前記電力機器を機能させる入出力ラインを形成するにあたり、
相対するファスナーテープの開閉端の縁部に沿って向かい合わせに列設されたエレメントとスライダーとから構成され、
前記エレメントは、水平方向の一方に設けた噛み合せ部及び他方に設けたファスナーテープ固定部と、前記水平方向に対して一方の垂直方向に延設し、延設した部分を鉤形に屈曲したエレメント脚部とを備え、前記エレメントを向かい合わせに配置して、向かい合わせに配置したエレメントの噛み合せ部の噛合・離脱に協働して向かい合わせに配置したエレメント脚部の先端を近接・離散して形成する保持部を形成し、
前記エレメント脚部を弾力性のない部材で形成したスライドファスナーの場合、前記スライダーを前記向かい合わせに配置したエレメントに沿って摺動させて前記エレメントを噛み合させることにより相対するファスナーテープである水平方向の開閉端を開閉するとともに保持部に前記入力電極部若しくは前記出力電極部を同時に係合して一方の垂直方向の開閉端を開閉し、前記エレメント脚部を弾力性のある部材で形成したスライドファスナーの場合、前記スライダーを前記向かい合わせに配置したエレメントに沿って摺動させて前記エレメントを噛み合させることにより相対するファスナーテープである水平方向の開閉端を開閉するとともに保持部に前記入力電極部若しくは前記出力電極部を同時に係合、又はプッシュインで後から接合して一方の垂直方向の開閉端を開閉するスライドファスナーであって、
前記水平方向の開閉端及び前記一方の垂直方向の開閉端のうち、一方の開閉端に電源入力ラインおよび／または信号入出力ラインを接続若しくは電源入力ラインおよび／または信号入出力ラインを接続した入力電極部を同時に係合、又はプッシュインで後から接合し、他方の開閉端に前記電力機器への電源出力ラインおよび／または信号入出力ラインを接続若しくは前記電力機器への電源出力ラインおよび／または信号入出力ラインを接続した出力電極部を同時に係合、又はプッシュインで後から接合して電源および／または信号の入出力ラインを形成することを特徴とするスライドファスナー。
【請求項６】
請求項５記載のスライドファスナーであって、前記電源入力ラインおよび／または信号入出力ライン、前記電力機器への電源出力ラインおよび／または信号入出力ラインが接続若しくは電源入力ラインおよび／または信号入出力ラインを接続した入力電極部、前記電力機器への電源出力ラインおよび／または信号入出力ラインを接続した出力電極部が同時に係合、又はプッシュインで後から接合された開閉端である前記相対するファスナーテープ、前記保持部を形成するエレメント脚部の先端部及び内側に、前記噛み合せ部の内部で或いは表面に沿って電気的に繋がっている各電極をそれぞれ埋め込んだことを特徴とするスライドファスナー。
【請求項７】
入力側に設けた電源ユニット及び信号ユニットと出力側に設けた電力機器との間にスライドファスナーを介在させ、その閉成作用によって前記スライドファスナーの入力側に前記電源ユニット及び信号ユニットを接続する入力電極部と前記スライドファスナーの出力側に前記電力機器を接続する出力電極部と前記スライドファスナーを２個連結接続するとともに連結部の途中から外部入出力端部を設けた連結電極部とを経由して前記電力機器を機能させる入出力ラインを形成するにあたり、
相対するファスナーテープの開閉端の縁部に沿って向かい合わせに列設されたエレメントとスライダーとから構成され、
前記エレメントは、水平方向の一方に設けた噛み合せ部及び他方に設けたファスナーテープ固定部と、前記水平方向に対して一方の垂直方向に延設し、延設した部分を鉤形に屈曲したエレメント脚部とを備え、前記エレメントを向かい合わせに配置して、向かい合わせに配置したエレメントの噛み合せ部の噛合・離脱に協働して向かい合わせに配置したエレメント脚部の先端を近接・離散して形成する保持部とを形成し、
前記スライダーを前記向かい合わせに配置したエレメントに沿って摺動させて前記エレメントを噛み合させることにより相対するファスナーテープである水平方向の開閉端を開閉するとともに保持部に前記入力電極部若しくは前記出力電極部を係合して一方の垂直方向の開閉端を開閉するファスナーユニットを２個備えたスライドファスナーであって、
前記エレメント脚部を弾力性のない部材で形成したファスナーユニットと前記エレメント脚部を弾力性のある部材で形成したファスナーユニットとをそれぞれ備え、
前記２個のファスナーユニットがともに弾力性のない部材で形成したエレメント脚部を有するファスナーユニットの場合、前記２個のファスナーユニットの各スライダーを前記２個のファスナーユニットの向かい合わせに配置したエレメントに沿って摺動させて前記２個のファスナーユニットのエレメントを各々噛み合せるときに２個のファスナーユニットの保持部同士を前記連結電極部を用いて垂直方向に連結し、
前記２個のファスナーユニットの少なくとも一方が弾力性のある部材で形成したエレメント脚部を有するファスナーユニットの場合、他方が弾力性のない部材で形成したエレメント脚部を有するファスナーユニットの場合には前記弾力性のない部材で形成したエレメント脚部を有するファスナーユニットのスライダーを前記ファスナーユニットの向かい合わせに配置したエレメントに沿って摺動させて前記ファスナーユニットのエレメントを噛み合せるときに前記ファスナーユニットの保持部を前記連結電極部を用いて垂直方向に連結し、その後で弾力性のある部材で形成したエレメント脚部を有するファスナーユニットのエレメントを噛み合せるときに保持部を前記連結電極部を用いて同時に連結、又は後から垂直方向にプッシュインで連接し、他方が弾力性のある部材で形成したエレメント脚部を有するファスナーユニットの場合には前記２個のファスナーユニットの各スライダーを前記２個のファスナーユニットの向かい合わせに配置したエレメントに沿って摺動させて前記２個のファスナーユニットのエレメントを各々噛み合せるときに弾力性のある部材で形成したエレメント脚部を有するファスナーユニットの保持部同士を前記連結電極部を用いて連結、又は噛み合せた後で垂直方向にプッシュインで連接して２個のファスナーユニットを重層構造にするとともに、
前記重層構造とした２個のファスナーユニットの水平方向の開閉端のうち、一方のファスナーユニットの水平方向の開閉端に電源入力ラインおよび／または信号入出力ラインを接続し、他方のファスナーユニットの水平方向の開閉端に前記電力機器への電源出力ラインおよび／または信号入出力ラインを接続して電源および／または信号の入出力ラインを形成することを特徴とするスライドファスナー。
【請求項８】
請求項７記載のスライドファスナーであって、前記電源入力ラインおよび／または信号入出力ライン若しくは前記電力機器への電源出力ラインおよび／または信号入出力ラインが接続された前記相対するファスナーテープ、前記連結電極部により垂直方向に連結、又はプッシュインで連接された保持部を形成するエレメント脚部の先端部及び内側に、前記噛み合せ部の内部で或いは表面に沿って電気的に繋がっている各電極をそれぞれ埋め込んだことを特徴とするスライドファスナー。
【請求項９】
入力側に設けた電源ユニット及び信号ユニットと出力側に設けた電力機器との間にスライドファスナーを介在させ、その閉成作用によって前記スライドファスナーの入力側に前記電源ユニット及び信号ユニットを接続する入力電極部と前記スライドファスナーの出力側に前記電力機器を接続する出力電極部とを経由して前記電力機器を機能させる入出力ラインを形成するにあたり、
相対するファスナーテープの開閉端の縁部に沿って向かい合わせに列設されたエレメントとスライダーとから構成され、
前記エレメントは、水平方向の一方に設けた噛み合せ部及び他方に設けたファスナーテープ固定部と、前記水平方向に対して上下の垂直方向に延設し、上方に延設した部分を矢頭形状に形成した係合片及び下方に延設した部分を鉤形に屈曲した係合受片とを備え、前記エレメントを向かい合わせに配置して、向かい合わせに配置したエレメントの噛み合せ部の噛合・離脱に協働して向かい合わせに配置したエレメントの係合片同士で係合部を形成し、向かい合わせに配置したエレメントの係合受片同士で係合受部を形成し、
前記スライダーを前記向かい合わせに配置したエレメントに沿って摺動させて前記エレメントを噛み合させることにより相対するファスナーテープである水平方向の開閉端を開閉するとともに下方に延設した係合受部の開閉端を開閉するファスナーユニットを複数個備えたスライドファスナーであって、
前記複数個のファスナーユニットのうち下方に延設した係合受片を弾力性のない部材で形成したファスナーユニットと下方に延設した係合受片を弾力性のある部材で形成したファスナーユニットとをそれぞれ備え、前記複数個のファスナーユニットのうち係合受片が弾力性のない部材で形成したファスナーユニットを重層接続する場合、前記各ファスナーユニットのスライダーを前記各ファスナーユニットのエレメントに沿って摺動させて前記各ファスナーユニットのエレメントを噛み合わせるときに、既に噛み合わせ部が噛み合わされた１つ目のファスナーユニットの係合部を弾力性のない部材で形成した２つ目のファスナーユニットの係合受部に係合して、順次新しいファスナーユニットの係合受部に１つ前のファスナーユニットの係合部を係合し、係合受片が弾力性のある部材で形成したファスナーユニットを重層接続する場合、前記各ファスナーユニットのスライダーを前記各ファスナーユニットのエレメントに沿って摺動させて前記各ファスナーユニットのエレメントを噛み合わせるときに、既に噛み合わせ部が噛み合わされた１つ目のファスナーユニットの係合部を弾力性のある部材で形成した２つ目のファスナーユニットの係合受部に係合して、順次新しいファスナーユニットの係合受部に１つ前のファスナーユニットの係合部を同時に係合又はプッシュインで後から接合して複数のファスナーユニットを重層構造にするとともに、
前記重層構造とした複数個のファスナーユニットの水平方向の開閉端、位置的に最下位のファスナーユニットの係合受部の開閉端のうち、何れか１つに電源入力ラインおよび／または信号入出力ラインを接続若しくは、電源入力ラインおよび／または信号入出力ラインを接続した前記入力電極部を係合、又はプッシュインで接合し、他の何れかに前記電力機器への電源出力ラインおよび／または信号入出力ラインを接続若しくは、前記電力機器への電源出力ラインおよび／または信号入出力ラインを接続した前記出力電極部を係合、又はプッシュインで接合して電源および／または信号の入出力ラインを形成することを特徴とするスライドファスナー。
【請求項１０】
請求項９記載のスライドファスナーであって、前記重層構造とした複数個のファスナーユニットの水平方向の開閉端のうち、電源入力ラインおよび／または信号入出力ライン若しくは、前記電力機器への電源出力ラインおよび／または信号入出力ラインが接続された開閉端である前記相対するファスナーテープ、前記重層構造とした複数個のファスナーユニットの係合部、係合受部のうち、重層接続された係合片、係合受片に前記噛み合せ部の内部で或いは表面に沿って電気的に繋がっている各電極をそれぞれ埋め込んだことを特徴とするスライドファスナー。
【請求項１１】
前記電源および／または信号の入出力ラインを、建物内の天井、壁、建物の外壁、街路樹の樹木に沿って、或いは立設した支柱から放射状にロープを張るようにして張設可能にしたことを特徴とする請求項１乃至請求項１０の何れかに記載のスライドファスナー。
【発明の詳細な説明】
【技術分野】
【０００１】
本発明は、入力側に設けた電源ユニット及び信号ユニットと出力側に設けた電力機器との間にスライドファスナーを介在させ、その閉成作用によって電力機器を機能させる入出力ラインを形成するスライドファスナーに関する。
【背景技術】
【０００２】
従来、照明器具を天井や壁などに取り付けるには、直接天井や壁などに吊り下げたり、天井面にレールを敷き、このレールにスライド自在にシーリングプラグを装着し、そのシーリングプラグに照明器具を吊り下げた照明装置が知られている（特許文献１）。一方、スライドファスナーの特性を活かして２つのテープの端部に並設したエレメントがスライダーの移動により噛み合ってテープ同士を連結するスライドファスナー構造のフレキシブルコネクタが知られている（特許文献２）。
【先行技術文献】
【特許文献】
【０００３】
【特許文献１】特開平０７−１９２５２２号公報
【特許文献２】特開２００５−３４７１７３号公報
【発明の概要】
【発明が解決しようとする課題】
【０００４】
しかしながら、特許文献１に示した照明装置は、照明器具を移動することができるものの、固定されたレールの範囲内に限られていた。かつ、レールを固定するための固定面が必要であった。また、特許文献２に示したフレキシブルコネクタは、テープ同士を連結して電気配線として利用する平面的な態様においては好適であるが、それから発展して電力機器を機能させる入出力ラインを重層構造にして三次元的に形成する考えに至るには難点があった。
【０００５】
本発明は、入力側に設けた電源ユニット及び信号ユニットと出力側に設けた電力機器との間に、新しい発想により創造した特異形状のエレメントを有するスライドファスナーを介在させ、その閉成作用によって入力側に設けた電源ユニット及び信号ユニットをスライドファスナーの入力側に接続する入力電極部と出力側に設けた電力機器をスライドファスナーの出力側に接続する出力電極部とを経由して、電力機器を機能させる入出力ラインを形成するスライドファスナーを提供することを目的とする。
【課題を解決するための手段】
【０００６】
上記目的を達成するため、請求項１のスライドファスナーは、入力側に設けた電源ユニット及び信号ユニットと出力側に設けた電力機器との間にスライドファスナーを介在させ、その閉成作用によってスライドファスナーの入力側に電源ユニット及び信号ユニットを接続する入力電極部とスライドファスナーの出力側に電力機器を接続する出力電極部とを経由して電力機器を機能させる入出力ラインを形成するにあたり、相対するファスナーテープの開閉端の縁部に沿って向かい合わせに列設されたエレメントとスライダーとから構成され、エレメントは、水平方向の一方に設けた噛み合せ部及び他方に設けたファスナーテープ固定部と、水平方向に対して上下の垂直方向に延設し、上方の垂直方向に延設した部分を鉤形に屈曲したエレメント上脚部及び下方の垂直方向に延設した部分を鉤形に屈曲したエレメント下脚部とを備え、エレメントを向かい合わせに配置して、向かい合わせに配置したエレメントの噛み合せ部の噛合・離脱に協働して向かい合わせに配置したエレメント上脚部の先端を近接・離散して形成する上方保持部と、向かい合わせに配置したエレメント下脚部の先端を近接・離散して形成する下方保持部とを形成し、エレメント上脚部及びエレメント下脚部をともに弾力性のない部材で形成したスライドファスナーの場合、スライダーを向かい合わせに配置したエレメントに沿って摺動させてエレメントを噛み合させることにより相対するファスナーテープである水平方向の開閉端を開閉するとともに上方保持部及び下方保持部に入力電極部若しくは出力電極部を同時に係合して上下の垂直方向の開閉端を開閉し、エレメント上脚部及びエレメント下脚部のうち少なくとも一方を弾力性のある部材で形成したスライドファスナーの場合、スライダーを向かい合わせに配置したエレメントに沿って摺動させてエレメントを噛み合させることにより相対するファスナーテープである水平方向の開閉端を開閉するとともに上方保持部及び下方保持部に入力電極部若しくは出力電極部を同時に係合、又はプッシュインで後から接合して上下の垂直方向の開閉端を開閉するスライドファスナーであって、水平方向の開閉端及び上下の垂直方向の開閉端のうち、何れか１つの開閉端に電源入力ラインおよび／または信号入出力ラインを接続若しくは電源入力ラインおよび／または信号入出力ラインを接続した入力電極部を同時に係合、又はプッシュインで後から接合し、他の開閉端に電力機器への電源出力ラインおよび／または信号入出力ラインを接続若しくは電力機器への電源出力ラインおよび／または信号入出力ラインを接続した出力電極部を同時に係合、又はプッシュインで後から接合して電源および／または信号の入出力ラインを形成することを特徴とするものである。
【０００７】
また、請求項２のスライドファスナーは、請求項１記載のスライドファスナーであって、水平方向の開閉端、上下の垂直方向の開閉端のうち、電源入力ラインおよび／または信号入出力ライン、電力機器への電源出力ラインおよび／または信号入出力ラインが接続若しくは電源入力ラインおよび／または信号入出力ラインを接続した入力電極部、電力機器への電源出力ラインおよび／または信号入出力ラインを接続した出力電極部が同時に係合、又はプッシュインで後から接合された開閉端である相対するファスナーテープ、上方保持部を形成するエレメント上脚部の先端部及び内側、下方保持部を形成するエレメント下脚部の先端部及び内側に、噛み合せ部の内部で或いは表面に沿って電気的に繋がっている各電極をそれぞれ埋め込んだことを特徴とするものである。
【０００８】
また、請求項３のスライドファスナーは、入力側に設けた電源ユニット及び信号ユニットと出力側に設けた電力機器との間にスライドファスナーを介在させ、その閉成作用によってスライドファスナーの入力側に電源ユニット及び信号ユニットを接続する入力電極部とスライドファスナーの出力側に電力機器を接続する出力電極部とスライドファスナーを複数個連結接続するとともに連結部の途中から外部入出力端部を設けた連結電極部とを経由して電力機器を機能させる入出力ラインを形成するにあたり、相対するファスナーテープの開閉端の縁部に沿って向かい合わせに列設されたエレメントとスライダーとから構成され、エレメントは、水平方向の一方に設けた噛み合せ部及び他方に設けたファスナーテープ固定部と、水平方向に対して上下の垂直方向に延設し、上方の垂直方向に延設した部分を鉤形に屈曲したエレメント上脚部及び下方の垂直方向に延設した部分を鉤形に屈曲したエレメント下脚部とを備え、エレメントを向かい合わせに配置して、向かい合わせに配置したエレメントの噛み合せ部の噛合・離脱に協働して向かい合わせに配置したエレメント上脚部の先端を近接・離散して形成する上方保持部と、向かい合わせに配置したエレメント下脚部の先端を近接・離散して形成する下方保持部とを形成し、スライダーを向かい合わせに配置したエレメントに沿って摺動させてエレメントを噛み合させることにより相対するファスナーテープである水平方向の開閉端を開閉するとともに上方保持部及び下方保持部に入力電極部若しくは出力電極部を係合して上下の垂直方向の開閉端を開閉するファスナーユニットを複数個備えたスライドファスナーであって、エレメント上脚部及びエレメント下脚部を弾力性のない部材で形成したファスナーユニットとエレメント上脚部及びエレメント下脚部のうち少なくとも一方を弾力性のある部材で形成したファスナーユニットとをそれぞれ備え、複数個のファスナーユニットが弾力性のない部材で形成したエレメント上脚部及びエレメント下脚部を有するファスナーユニットの場合、各ファスナーユニットのスライダーを各ファスナーユニットの向かい合わせに配置したエレメントに沿って摺動させて各ファスナーユニットのエレメントを噛み合わせるときに１つ目のファスナーユニットの上方保持部と２つ目のファスナーユニットの下方保持部又は１つ目のファスナーユニットの下方保持部と２つ目のファスナーユニットの上方保持部を連結電極部を用いて連結して、順次新しいファスナーユニットの下方保持部と１つ前のファスナーユニットの上方保持部又は順次新しいファスナーユニットの上方保持部と１つ前のファスナーユニットの下方保持部を連結電極部を用いて連結し、複数個のファスナーユニットが少なくとも一方を弾力性のある部材で形成したエレメント上脚部及びエレメント下脚部を有するファスナーユニットの場合、他方が弾力性のない部材で形成したエレメント上脚部及びエレメント下脚部の場合には各ファスナーユニットのスライダーを各ファスナーユニットの向かい合わせに配置したエレメントに沿って摺動させて各ファスナーユニットのエレメントを噛み合わせるときに１つ目のファスナーユニットの上方保持部と２つ目のファスナーユニットの下方保持部又は１つ目のファスナーユニットの下方保持部と２つ目のファスナーユニットの上方保持部を連結電極部を用いて連結して、順次新しいファスナーユニットの下方保持部と１つ前のファスナーユニットの上方保持部又は順次新しいファスナーユニットの上方保持部と１つ前のファスナーユニットの下方保持部を連結電極部を用いて連結し、他方が弾力性のある部材で形成したエレメント上脚部及びエレメント下脚部の場合には各ファスナーユニットのスライダーを各ファスナーユニットの向かい合わせに配置したエレメントに沿って摺動させて各ファスナーユニットのエレメントを噛み合わせるときに１つ目のファスナーユニットの上方保持部と２つ目のファスナーユニットの下方保持部又は１つ目のファスナーユニットの下方保持部と２つ目のファスナーユニットの上方保持部を連結電極部に噛み合せるときに連結、又は後からプッシュインで連接して、順次新しいファスナーユニットの下方保持部と１つ前のファスナーユニットの上方保持部又は順次新しいファスナーユニットの上方保持部と１つ前のファスナーユニットの下方保持部を連結電極部に噛み合せるときに連結、又は後からプッシュインで連接して複数のファスナーユニットを重層構造にするとともに、重層構造とした複数のファスナーユニットの水平方向の開閉端及び最上位置と最下位置のファスナーユニットの垂直方向の開閉端のうち、何れか１つの開閉端に電源入力ラインおよび／または信号入出力ラインを接続若しくは電源入力ラインおよび／または信号入出力ラインを接続した入力電極部を係合、又はプッシュインで接合し、他の開閉端に電力機器への電源出力ラインおよび／または信号入出力ラインを接続若しくは電力機器への電源出力ラインおよび／または信号入出力ラインを接続した出力電極部を係合、又はプッシュインで接合して電源および／または信号の入出力ラインを形成することを特徴とするものである。
【０００９】
また、請求項４のスライドファスナーは、請求項３記載のスライドファスナーであって、重層構造とした複数個のファスナーユニットの水平方向の開閉端、最上位置と最下位置のファスナーユニットの垂直方向の開閉端のうち、電源入力ラインおよび／または信号入出力ライン、電力機器への電源出力ラインおよび／または信号入出力ラインが接続若しくは電源入力ラインおよび／または信号入出力ラインを接続した入力電極部、電力機器への電源出力ラインおよび／または信号入出力ラインを接続した出力電極部が係合、又はプッシュインで接合された開閉端である相対するファスナーテープ、上方保持部を形成するエレメント上脚部の先端部及び内側、下方保持部を形成するエレメント下脚部の先端部及び内側に、噛み合せ部の内部で或いは表面に沿って電気的に繋がっている各電極をそれぞれ埋め込んだことを特徴とするものである。
【００１０】
また、請求項５のスライドファスナーは、入力側に設けた電源ユニット及び信号ユニットと出力側に設けた電力機器との間にスライドファスナーを介在させ、その閉成作用によってスライドファスナーの入力側に電源ユニット及び信号ユニットを接続する入力電極部とスライドファスナーの出力側に電力機器を接続する出力電極部とを経由して電力機器を機能させる入出力ラインを形成するにあたり、相対するファスナーテープの開閉端の縁部に沿って向かい合わせに列設されたエレメントとスライダーとから構成され、エレメントは、水平方向の一方に設けた噛み合せ部及び他方に設けたファスナーテープ固定部と、水平方向に対して一方の垂直方向に延設し、延設した部分を鉤形に屈曲したエレメント脚部とを備え、エレメントを向かい合わせに配置して、向かい合わせに配置したエレメントの噛み合せ部の噛合・離脱に協働して向かい合わせに配置したエレメント脚部の先端を近接・離散して形成する保持部を形成し、エレメント脚部を弾力性のない部材で形成したスライドファスナーの場合、スライダーを向かい合わせに配置したエレメントに沿って摺動させてエレメントを噛み合させることにより相対するファスナーテープである水平方向の開閉端を開閉するとともに保持部に入力電極部若しくは出力電極部を同時に係合して一方の垂直方向の開閉端を開閉し、エレメント脚部を弾力性のある部材で形成したスライドファスナーの場合、スライダーを向かい合わせに配置したエレメントに沿って摺動させてエレメントを噛み合させることにより相対するファスナーテープである水平方向の開閉端を開閉するとともに保持部に入力電極部若しくは出力電極部を同時に係合、又はプッシュインで後から接合して一方の垂直方向の開閉端を開閉するスライドファスナーであって、水平方向の開閉端及び一方の垂直方向の開閉端のうち、一方の開閉端に電源入力ラインおよび／または信号入出力ラインを接続若しくは電源入力ラインおよび／または信号入出力ラインを接続した入力電極部を同時に係合、又はプッシュインで後から接合し、他方の開閉端に電力機器への電源出力ラインおよび／または信号入出力ラインを接続若しくは電力機器への電源出力ラインおよび／または信号入出力ラインを接続した出力電極部を同時に係合、又はプッシュインで後から接合して電源および／または信号の入出力ラインを形成することを特徴とするものである。
【００１１】
また、請求項６のスライドファスナーは、請求項５記載のスライドファスナーであって、電源入力ラインおよび／または信号入出力ライン、電力機器への電源出力ラインおよび／または信号入出力ラインが接続若しくは電源入力ラインおよび／または信号入出力ラインを接続した入力電極部、電力機器への電源出力ラインおよび／または信号入出力ラインを接続した出力電極部が同時に係合、又はプッシュインで後から接合された開閉端である相対するファスナーテープ、保持部を形成するエレメント脚部の先端部及び内側に、噛み合せ部の内部で或いは表面に沿って電気的に繋がっている各電極をそれぞれ埋め込んだことを特徴とするものである。
【００１２】
また、請求項７のスライドファスナーは、入力側に設けた電源ユニット及び信号ユニットと出力側に設けた電力機器との間にスライドファスナーを介在させ、その閉成作用によってスライドファスナーの入力側に電源ユニット及び信号ユニットを接続する入力電極部とスライドファスナーの出力側に電力機器を接続する出力電極部とスライドファスナーを２個連結接続するとともに連結部の途中から外部入出力端部を設けた連結電極部とを経由して電力機器を機能させる入出力ラインを形成するにあたり、相対するファスナーテープの開閉端の縁部に沿って向かい合わせに列設されたエレメントとスライダーとから構成され、エレメントは、水平方向の一方に設けた噛み合せ部及び他方に設けたファスナーテープ固定部と、水平方向に対して一方の垂直方向に延設し、延設した部分を鉤形に屈曲したエレメント脚部とを備え、エレメントを向かい合わせに配置して、向かい合わせに配置したエレメントの噛み合せ部の噛合・離脱に協働して向かい合わせに配置したエレメント脚部の先端を近接・離散して形成する保持部とを形成し、スライダーを向かい合わせに配置したエレメントに沿って摺動させてエレメントを噛み合させることにより相対するファスナーテープである水平方向の開閉端を開閉するとともに保持部に入力電極部若しくは出力電極部を係合して一方の垂直方向の開閉端を開閉するファスナーユニットを２個備えたスライドファスナーであって、エレメント脚部を弾力性のない部材で形成したファスナーユニットとエレメント脚部を弾力性のある部材で形成したファスナーユニットとをそれぞれ備え、２個のファスナーユニットがともに弾力性のない部材で形成したエレメント脚部を有するファスナーユニットの場合、２個のファスナーユニットの各スライダーを２個のファスナーユニットの向かい合わせに配置したエレメントに沿って摺動させて２個のファスナーユニットのエレメントを各々噛み合せるときに２個のファスナーユニットの保持部同士を連結電極部を用いて垂直方向に連結し、２個のファスナーユニットの少なくとも一方が弾力性のある部材で形成したエレメント脚部を有するファスナーユニットの場合、他方が弾力性のない部材で形成したエレメント脚部を有するファスナーユニットの場合には弾力性のない部材で形成したエレメント脚部を有するファスナーユニットのスライダーをファスナーユニットの向かい合わせに配置したエレメントに沿って摺動させてファスナーユニットのエレメントを噛み合せるときにファスナーユニットの保持部を連結電極部を用いて垂直方向に連結し、その後で弾力性のある部材で形成したエレメント脚部を有するファスナーユニットのエレメントを噛み合せるときに保持部を連結電極部を用いて同時に連結、又は後から垂直方向にプッシュインで連接し、他方が弾力性のある部材で形成したエレメント脚部を有するファスナーユニットの場合には２個のファスナーユニットの各スライダーを２個のファスナーユニットの向かい合わせに配置したエレメントに沿って摺動させて２個のファスナーユニットのエレメントを各々噛み合せるときに弾力性のある部材で形成したエレメント脚部を有するファスナーユニットの保持部同士を連結電極部を用いて連結、又は噛み合せた後で垂直方向にプッシュインで連接して２個のファスナーユニットを重層構造にするとともに、重層構造とした２個のファスナーユニットの水平方向の開閉端のうち、一方のファスナーユニットの水平方向の開閉端に電源入力ラインおよび／または信号入出力ラインを接続し、他方のファスナーユニットの水平方向の開閉端に電力機器への電源出力ラインおよび／または信号入出力ラインを接続して電源および／または信号の入出力ラインを形成することを特徴とするものである。
【００１３】
また、請求項８のスライドファスナーは、請求項７記載のスライドファスナーであって、電源入力ラインおよび／または信号入出力ライン若しくは電力機器への電源出力ラインおよび／または信号入出力ラインが接続された相対するファスナーテープ、連結電極部により垂直方向に連結、又はプッシュインで連接された保持部を形成するエレメント脚部の先端部及び内側に、噛み合せ部の内部で或いは表面に沿って電気的に繋がっている各電極をそれぞれ埋め込んだことを特徴とするものである。
【００１４】
また、請求項９のスライドファスナーは、入力側に設けた電源ユニット及び信号ユニットと出力側に設けた電力機器との間にスライドファスナーを介在させ、その閉成作用によってスライドファスナーの入力側に電源ユニット及び信号ユニットを接続する入力電極部とスライドファスナーの出力側に電力機器を接続する出力電極部とを経由して電力機器を機能させる入出力ラインを形成するにあたり、相対するファスナーテープの開閉端の縁部に沿って向かい合わせに列設されたエレメントとスライダーとから構成され、エレメントは、水平方向の一方に設けた噛み合せ部及び他方に設けたファスナーテープ固定部と、水平方向に対して上下の垂直方向に延設し、上方に延設した部分を矢頭形状に形成した係合片及び下方に延設した部分を鉤形に屈曲した係合受片とを備え、エレメントを向かい合わせに配置して、向かい合わせに配置したエレメントの噛み合せ部の噛合・離脱に協働して向かい合わせに配置したエレメントの係合片同士で係合部を形成し、向かい合わせに配置したエレメントの係合受片同士で係合受部を形成し、スライダーを向かい合わせに配置したエレメントに沿って摺動させてエレメントを噛み合させることにより相対するファスナーテープである水平方向の開閉端を開閉するとともに下方に延設した係合受部の開閉端を開閉するファスナーユニットを複数個備えたスライドファスナーであって、複数個のファスナーユニットのうち下方に延設した係合受片を弾力性のない部材で形成したファスナーユニットと下方に延設した係合受片を弾力性のある部材で形成したファスナーユニットとをそれぞれ備え、複数個のファスナーユニットのうち係合受片が弾力性のない部材で形成したファスナーユニットを重層接続する場合、各ファスナーユニットのスライダーを各ファスナーユニットのエレメントに沿って摺動させて各ファスナーユニットのエレメントを噛み合わせるときに、既に噛み合わせ部が噛み合わされた１つ目のファスナーユニットの係合部を弾力性のない部材で形成した２つ目のファスナーユニットの係合受部に係合して、順次新しいファスナーユニットの係合受部に１つ前のファスナーユニットの係合部を係合し、係合受片が弾力性のある部材で形成したファスナーユニットを重層接続する場合、各ファスナーユニットのスライダーを各ファスナーユニットのエレメントに沿って摺動させて各ファスナーユニットのエレメントを噛み合わせるときに、既に噛み合わせ部が噛み合わされた１つ目のファスナーユニットの係合部を弾力性のある部材で形成した２つ目のファスナーユニットの係合受部に係合して、順次新しいファスナーユニットの係合受部に１つ前のファスナーユニットの係合部を同時に係合又はプッシュインで後から接合して複数のファスナーユニットを重層構造にするとともに、重層構造とした複数個のファスナーユニットの水平方向の開閉端、位置的に最下位のファスナーユニットの係合受部の開閉端のうち、何れか１つに電源入力ラインおよび／または信号入出力ラインを接続若しくは、電源入力ラインおよび／または信号入出力ラインを接続した入力電極部を係合、又はプッシュインで接合し、他の何れかに電力機器への電源出力ラインおよび／または信号入出力ラインを接続若しくは、電力機器への電源出力ラインおよび／または信号入出力ラインを接続した出力電極部を係合、又はプッシュインで接合して電源および／または信号の入出力ラインを形成することを特徴とするものである。
【００１５】
また、請求項１０のスライドファスナーは、請求項９記載のスライドファスナーであって、重層構造とした複数個のファスナーユニットの水平方向の開閉端のうち、電源入力ラインおよび／または信号入出力ライン若しくは、電力機器への電源出力ラインおよび／または信号入出力ラインが接続された開閉端である相対するファスナーテープ、重層構造とした複数個のファスナーユニットの係合部、係合受部のうち、重層接続された係合片、係合受片に噛み合せ部の内部で或いは表面に沿って電気的に繋がっている各電極をそれぞれ埋め込んだことを特徴とするものである。
【００１６】
また、請求項１１のスライドファスナーは、請求項１乃至請求項１０の何れかに記載のスライドファスナーであって、電源および／または信号の入出力ラインを、建物内の天井、壁、建物の外壁、街路樹の樹木に沿って、或いは立設した支柱から放射状にロープを張るようにして張設可能にしたことを特徴とするものである。
【発明の効果】
【００１７】
本発明のスライドファスナーによれば、入力側に設けた電源ユニット及び信号ユニットと出力側に設けた電力機器との間に特異形状のエレメントを有するスライドファスナーを介在させ、その閉成作用によって電力機器を機能させる入出力ラインを形成することにより、電力機器を設置する場所に制限がなく、また設置した後でも移動して使用することができる。
【００１８】
また、水平方向の一方に設けた噛み合せ部及び他方に設けたファスナーテープ固定部と、水平方向に対して垂直方向に延設し、延設した部分を鉤形に屈曲した脚部とを備えたエレメントを向かい合わせに配置して、向かい合わせに配置したエレメントの噛み合せ部の噛合・離脱に協働して向かい合わせに配置した脚部の先端を近接・離散して形成する保持部を形成し、スライダーを向かい合わせに配置したエレメントに沿って摺動させてエレメントを噛み合させて相対するファスナーテープである水平方向の開閉端を開閉するとともに保持部に入力電極部若しくは出力電極部を係合して垂直方向の開閉端を開閉することにより、スライドファスナーの水平方向の開閉端及び垂直方向の開閉端に電源ユニット及び信号ユニット並びに多岐にわたる電力機器を任意の位置に配設し機能させることができる。また、信号ユニットにより電力機器を任意にコントロールすることができる。
【００１９】
さらに、垂直方向に延設した脚部を弾力性のない部材で形成したスライドファスナーの場合、スライダーを向かい合わせに配置したエレメントに沿って摺動させてエレメントを噛み合させて相対するファスナーテープである水平方向の開閉端を開閉するとともに保持部に入力電極部若しくは出力電極部を同時に係合して垂直方向の開閉端を開閉させることにより、電力機器をスライドファスナーの任意の位置にスライダーにより固定することができる。また、垂直方向に延設した脚部を弾力性のある部材で形成したスライドファスナーの場合、スライダーを向かい合わせに配置したエレメントに沿って摺動させてエレメントを噛み合させて相対するファスナーテープである水平方向の開閉端を開閉するとともに保持部に入力電極部若しくは出力電極部を同時に係合、又はプッシュインで後から接合して垂直方向の開閉端を開閉させることにより、電力機器をスライドファスナーの任意の位置にスライダーにより固定することも、後からプッシュインにより追加設置して固定することもできる。
【図面の簡単な説明】
【００２０】
【図１】本発明によるスライドファスナーの閉成作用によって形成する電源および／または信号の入出力ラインの概念図である。
【図２】本発明による第一実施例のスライドファスナーを構成するエレメントを示し、(ａ)は単体、（ｂ）は向かい合わせにした状態の斜視図である。
【図３】第一実施例のスライドファスナーを構成するスライダーの斜視図である。
【図４】第一実施例のスライドファスナーにおけるエレメントとスライダーを用いて電源および／または信号の入出力ラインを形成するスライドファスナーの斜視図である。
【図５】（ａ）は第一実施例のスライドファスナーの作用により開閉する開閉端を示す概念図、（ｂ）〜（ｊ）は組み合わせを示すパターン図である。
【図６】第一実施例のスライドファスナーを複数個連結して重層構造としたスライドファスナーの斜視図である。
【図７】（１）は第一実施例のスライドファスナーを複数個連結して重層構造としたスライドファスナーの作用により開閉する開閉端を示す概念図、（２）〜（７６）は組み合わせを示すパターン図である。
【図８】本発明による第二実施例のスライドファスナーを構成するエレメントを示し、(ａ)は単体、（ｂ）は向かい合わせにした状態の斜視図である。
【図９】第二実施例のスライドファスナーを構成するスライダーの斜視図である。
【図１０】第二実施例のスライドファスナーにおけるエレメントとスライダーを用いて電源および／または信号の入出力ラインを形成するスライドファスナーの斜視図である。
【図１１】（ａ）は第二実施例のスライドファスナーの作用により開閉する開閉端を示す概念図、（ｂ）〜（ｃ）は組み合わせを示すパターン図である。
【図１２】第二実施例のスライドファスナーを２個連結して重層構造としたスライドファスナーの斜視図である。
【図１３】（ａ）は第二実施例のスライドファスナーを２個連結して重層構造としたスライドファスナーの作用により開閉する開閉端を示す概念図、（ｂ）〜（ｃ）は組み合わせを示すパターン図である。
【図１４】本発明による第三実施例のスライドファスナーを構成するエレメントを示し、(ａ)は単体、（ｂ）は向かい合わせにした状態の斜視図である。
【図１５】第三実施例のスライドファスナーを構成するスライダーの斜視図である。
【図１６】第三実施例のスライドファスナーを複数個連結して重層構造としたスライドファスナーを用いて電源および／または信号の入出力ラインを形成するスライドファスナーの斜視図である。
【図１７】（ａ）は第三実施例のスライドファスナーを複数個連結して重層構造としたスライドファスナーの作用により開閉する開閉端を示す概念図、（ｂ）〜（ｊ）は組み合わせを示すパターン図である。
【図１８】各実施例における入力ラインを接続した入力電極部の一例を示す斜視図である。
【図１９】各実施例における電力機器への出力ラインを接続した出力電極部の一例を示す斜視図である。
【図２０】第一実施例及び第二実施例におけるスライドファスナーを複数個連結して重層構造とするための連結電極部の一例を示し、（ａ）は斜視図、（ｂ）はその一部拡大図である。
【図２１】同じく連結電極部の他の例を示す斜視図である。
【図２２】同じく連結電極部の他の例を示す斜視図である。
【図２３】（ａ）は各実施例におけるスライドファスナーを用いて形成する電源および／または信号の入出力ラインを建物の天井に張設可能にした具体図を示し、（ｂ）は、電力機器としての照明器具が接続されたスライドファスナーの詳細図、（ｃ）は電力機器としての無線ＬＡＮ中継器が接続されたスライドファスナーの詳細図である。
【図２４】（ａ）は各実施例におけるスライドファスナーを用いて形成する電源および／または信号の入出力ラインを立設した支柱から空中にロープを張るように張設可能にした具体図を示し、（ｂ）は電源および／または信号の入出力ラインに接続された電力機器としての照明器具の詳細図である。
【発明を実施するための形態】
【実施例】
【００２１】
図１は、本発明によるスライドファスナーの閉成作用によって電源および／または信号の入出力ラインを形成する概念図であり、ＳＦは新しい発想により創造した特異形状のエレメントを有するスライドファスナー、ＰＵは電源入力ラインＬ１を介してスライドファスナーＳＦの入力側に入力電極部Ｌ１Ｐを経由して接続された電源ユニット、ＳＵは信号入出力ラインＳＬを介してスライドファスナーＳＦの入力側に入力電極部Ｌ１Ｐを経由して接続された信号ユニット、ＤＫは電源出力ラインＬ２および／または信号入出力ラインＳＬを介してスライドファスナーＳＦの出力側に出力電極部Ｌ２Ｐを経由して接続された電力機器である。
【００２２】
特異形状のエレメントを有するスライドファスナーＳＦを閉成することにより、スライドファスナーＳＦの入力側に設けた電源ユニットＰＵ及び信号ユニットＳＵとスライドファスナーＳＦの出力側に設けた電力機器ＤＫとを接続する電源および／または信号の入出力ラインＬ１２を形成するものであり、以下、当該スライドファスナーの各実施例を、図面を参照しながら具体的に説明する。
【００２３】
図２から図７は、本発明によるスライドファスナーの第一実施例を示したものであり、当該スライドファスナーＳＦ１を構成するエレメント２０は、図２（ａ）に示すように、水平方向Ｈ１の一方に噛み合せ部２０Ｈ１、他方にファスナーテープ１０が固着されたファスナーテープ固定部２０Ｈ２を備えている。また、エレメント２０は、水平方向Ｈ１に対して上下の垂直方向Ｖ１１、Ｖ１２に延設し、上方の垂直方向Ｖ１１に延設した部分を鉤形に屈曲したエレメント上脚部２０Ｖ１、下方の垂直方向Ｖ１２に延設した部分を鉤形に屈曲したエレメント下脚部２０Ｖ２を備えている。
【００２４】
エレメント上脚部２０Ｖ１の先端部には電源（＋）の電極２０ＫＶ１１、エレメント上脚部２０Ｖ１の内側には電源（−）の電極２０ＫＶ１２、信号Ａの電極２０ＫＳＡＶ１、信号Ｂの電極２０ＫＳＢＶ１がそれぞれ埋め込まれる。また、エレメント下脚部２０Ｖ２の先端部には電源（＋）の電極２０ＫＶ２１、エレメント下脚部２０Ｖ２の内側には電源（−）の電極２０ＫＶ２２、信号Ａの電極２０ＫＳＡＶ２、信号Ｂの電極２０ＫＳＢＶ２がそれぞれ埋め込まれる。
【００２５】
エレメント上脚部２０Ｖ１の先端部に埋め込まれた電源（＋）の電極２０ＫＶ１１とエレメント下脚部２０Ｖ２の先端部に埋め込まれた電源（＋）の電極２０ＫＶ２１及びエレメント上脚部２０Ｖ１の内側に埋め込まれた電源（−）の電極２０ＫＶ１２とエレメント下脚部２０Ｖ２の内側に埋め込まれた電源（−）の電極２０ＫＶ２２は噛み合せ部２０Ｈ１の内部で或いは表面に沿って電気的に繋がれ、更にファスナーテープ固定部２０Ｈ２に固着されたファスナーテープ１０に埋め込まれた電源（＋）の電極１０ＫＶ１、電源（−）の電極１０ＫＶ２とそれぞれ繋がれている。エレメント上脚部２０Ｖ１の内側に埋め込まれた信号Ａの電極２０ＫＳＡＶ１、信号Ｂの電極２０ＫＳＢＶ１とエレメント下脚部２０Ｖ２の内側に埋め込まれた信号Ａの電極２０ＫＳＡＶ２、信号Ｂの電極２０ＫＳＢＶ２も噛み合せ部２０Ｈ１の内部で電気的に繋がれ、更にファスナーテープ固定部２０Ｈ２に固着されたファスナーテープ１０に埋め込まれた信号Ａの電極１０ＫＳＡＶ１、信号Ｂの電極１０ＫＳＢＶ２とそれぞれ繋がれている。
【００２６】
このエレメント２０を、図２（ｂ）に示すように、向かい合わせに配置して、向かい合わせに配置した一方及び他方のエレメント２０、２０の噛み合せ部２０Ｈ１、２０Ｈ１の噛合・離脱に協働して向かい合わせに配置したエレメント上脚部２０Ｖ１、２０Ｖ１の先端が近接・離散して上方保持部２０Ｖ１Ｒを形成し、向かい合わせに配置したエレメント下脚部２０Ｖ２、２０Ｖ２の先端が近接・離散して下方保持部２０Ｖ２Ｒを形成する。
【００２７】
スライドファスナーＳＦ１を構成するスライダー３０は、図３に示すように、エレメント２０を挿通して噛合・離脱させるスライダー本体３０Ｔとスライダー本体３０Ｔを移動させる引き手３０Ｋとから構成されている。スライダー本体３０Ｔは、上方垂直側ケース３０ＴＵ、下方垂直側ケース３０ＴＤから成り、上方垂直側ケース３０ＴＵと下方垂直側ケース３０ＴＤの間には水平方向Ｈの開閉端ＨＴである相対するファスナーテープ１０を挿通する水平スリット３０ＨＬが設けられ、また、上方垂直側ケース３０ＴＵ及び下方垂直側ケース３０ＴＤの真中には上方の垂直方向Ｖ１の開閉端Ｖ１Ｔ、下方の垂直方向Ｖ２の開閉端Ｖ２Ｔに合わせて垂直スリット３０ＶＬがそれぞれ設けられている。
【００２８】
上方垂直側ケース３０ＴＵには垂直スリット３０ＶＬの両側に上方引き手取付部３０ＴＵａ，３０ＴＵｂが立設され、下方垂直側ケース３０ＴＤには垂直スリット３０ＶＬの両側に一部しか図示されてないが下方引き手取付部３０ＴＤａ、３０ＴＤｂが立設されている。
【００２９】
引き手３０Ｋは、スライダー本体３０Ｔへの上方取付部３０ＫＵａ、３０ＫＵｂ及び下方取付部３０ＫＤａ、３０ＫＤｂと摘み部３０ＫＢから成り、上方取付部３０ＫＵａ、３０ＫＵｂはスライダー本体３０Ｔの上方垂直側ケース３０ＴＵの上方引き手取付部３０ＴＵａ，３０ＴＵｂに、下方取付部３０ＫＤａ、３０ＫＤｂはスライダー本体３０Ｔの下方垂直側ケース３０ＴＤの下方引き手取付部３０ＴＤａ、３０ＴＤｂに、スライダー本体３０Ｔの上方及び下方側から挟み込むようにして取り付ける。この場合、スライドファスナーを閉じるには、引き手３０Ｋを矢印Ｘの方向に引き、スライドファスナーを開くには、引き手３０Ｋを矢印Ｙの方向に押す。
【００３０】
図４は、第一実施例のスライドファスナーにおけるエレメントとスライダーを用いて電源および／または信号の入出力ラインを形成するスライドファスナーＳＦ１の斜視図、図５（ａ）は、第一実施例に示したスライドファスナーＳＦ１のスライダー３０をエレメント２０に沿って摺動させることにより開閉する水平方向Ｈ１の開閉端Ｈ１Ｔ、上下の垂直方向Ｖ１１、Ｖ１２の開閉端Ｖ１１Ｔ、Ｖ１２Ｔを示した概念図である。図４において、エレメント２０のエレメント上脚部２０Ｖ１、エレメント下脚部２０Ｖ２をともに弾力性のない部材で形成した場合、スライダー３０を向かい合わせに配置したエレメント２０、２０に沿って摺動させてエレメントを噛み合させることにより相対するファスナーテープ１０である水平方向Ｈ１の開閉端Ｈ１Ｔを開閉するとともに上方保持部２０Ｖ１Ｒ及び下方保持部２０Ｖ２Ｒに入力電極部Ｌ１Ｐ若しくは出力電極部Ｌ２Ｐを同時に係合することにより上下の垂直方向Ｖ１１、Ｖ１２の開閉端Ｖ１１Ｔ、Ｖ１２Ｔを開閉し、水平方向Ｈ１の開閉端Ｈ１Ｔ及び上下の垂直方向Ｖ１１、Ｖ１２の開閉端Ｖ１１Ｔ、Ｖ１２Ｔのうち、何れか１つの開閉端に電源入力ラインＬ１および／または信号入出力ラインＳＬを接続若しくは電源入力ラインＬ１および／または信号入出力ラインＳＬを接続した入力電極部Ｌ１Ｐを同時に係合し、他の開閉端に電力機器ＤＫへの電源出力ラインＬ２および／または信号入出力ラインＳＬを接続若しくは電力機器ＤＫへの電源出力ラインＬ２および／または信号入出力ラインＳＬを接続した出力電極部Ｌ２Ｐを同時に係合して電源および／または信号の入出力ラインＬ１２を形成する。
【００３１】
また、エレメント２０のエレメント上脚部２０Ｖ１、エレメント下脚部２０Ｖ２のうち少なくとも一方を弾力性のある部材で形成した場合、スライダー３０を向かい合わせに配置したエレメント２０、２０に沿って摺動させてエレメントを噛み合させることにより相対するファスナーテープ１０である水平方向Ｈ１の開閉端Ｈ１Ｔを開閉するとともに上方保持部２０Ｖ１Ｒ及び下方保持部２０Ｖ２Ｒに入力電極部Ｌ１Ｐ若しくは出力電極部Ｌ２Ｐを同時に係合、又はプッシュインで後から接合することにより上下の垂直方向Ｖ１１、Ｖ１２の開閉端Ｖ１１Ｔ、Ｖ１２Ｔを開閉し、水平方向Ｈ１の開閉端Ｈ１Ｔ及び上下の垂直方向Ｖ１１、Ｖ１２の開閉端Ｖ１１Ｔ、Ｖ１２Ｔのうち、何れか１つの開閉端に電源入力ラインＬ１および／または信号入出力ラインＳＬを接続若しくは電源入力ラインＬ１および／または信号入出力ラインＳＬを接続した入力電極部Ｌ１Ｐを同時に係合、又はプッシュインで後から接合し、他の開閉端に電力機器ＤＫへの電源出力ラインＬ２および／または信号入出力ラインＳＬを接続若しくは電力機器ＤＫへの電源出力ラインＬ２および／または信号入出力ラインＳＬを接続した出力電極部Ｌ２Ｐを同時に係合、又はプッシュインで後から接合して電源および／または信号の入出力ラインＬ１２を形成する。
【００３２】
また、図５（ａ）において、水平方向Ｈ１の開閉端Ｈ１Ｔ、上下の垂直方向Ｖ１１、Ｖ１２の開閉端Ｖ１１Ｔ、Ｖ１２Ｔのうち、何れか１つの開閉端に電源入力ラインＬ１および／または信号入出力ラインＳＬを接続若しくは電源入力ラインＬ１および／または信号入出力ラインＳＬを接続した入力電極部Ｌ１Ｐを係合し、他の開閉端に電力機器ＤＫへの電源出力ラインＬ２および／または信号入出力ラインＳＬを接続若しくは電力機器ＤＫへの電源出力ラインＬ２および／または信号入出力ラインＳＬを接続した出力電極部Ｌ２Ｐを係合して入出力ラインＬ１２を形成する組み合わせのパターンは、図５（ｂ）〜図５（ｊ）に示すように、９種類の組み合わせがある。
【００３３】
即ち、水平方向Ｈ１の開閉端Ｈ１Ｔ、上下の垂直方向Ｖ１１、Ｖ１２の開閉端Ｖ１１Ｔ、Ｖ１２Ｔのうち、上方の垂直方向Ｖ１１の開閉端Ｖ１１Ｔを入力端とすると、その出力端は、上述の下方の垂直方向Ｖ１２の開閉端Ｖ１２Ｔ（図５（ｂ））の他に、水平方向Ｈ１の開閉端Ｈ１Ｔ（図５（ｃ））、水平方向Ｈ１の開閉端Ｈ１Ｔ及び下方の垂直方向Ｖ１２の開閉端Ｖ１２Ｔ（図５（ｄ））の３通りがある。また、水平方向Ｈ１の開閉端Ｈ１Ｔ、上下の垂直方向Ｖ１１、Ｖ１２の開閉端Ｖ１１Ｔ、Ｖ１２Ｔのうち、下方の垂直方向Ｖ１２の開閉端Ｖ１２Ｔを入力端とすると、その出力端は、上方の垂直方向Ｖ１１の開閉端Ｖ１１Ｔ（図５（ｅ））、水平方向Ｈ１の開閉端Ｈ１Ｔ（図５（ｆ））、水平方向Ｈ１の開閉端Ｈ１Ｔ及び上方の垂直方向Ｖ１１の開閉端Ｖ１１Ｔ（図５（ｇ））の３通りがある。さらに、水平方向Ｈ１の開閉端Ｈ１Ｔ、上下の垂直方向Ｖ１１、Ｖ１２の開閉端Ｖ１１Ｔ、Ｖ１２Ｔのうち、水平方向Ｈ１の開閉端Ｈ１Ｔを入力端とすると、その出力端は、上方の垂直方向Ｖ１１の開閉端Ｖ１１Ｔ（図５（ｈ））、下方の垂直方向Ｖ１２の開閉端Ｖ１２Ｔ（図５（ｉ））、上方の垂直方向Ｖ１１の開閉端Ｖ１１Ｔ及び下方の垂直方向Ｖ１２の開閉端Ｖ１２Ｔ（図５（ｊ））の３通りがあり、全部で９種類の組み合わせがある。
【００３４】
向かいあわせに配置した一方及び他方のエレメント２０のファスナーテープ１０、エレメント上脚部２０Ｖ１の先端部及び内側、エレメント下脚部２０Ｖ２の先端部及び内側に埋め込まれる各電極は、図５（ｂ）〜図５（ｊ）に示す９種類の組み合わせの如何なる場合においても埋め込まれても良いが、水平方向Ｈ１の開閉端Ｈ１Ｔ、上下の垂直方向Ｖ１１、Ｖ１２の開閉端Ｖ１１Ｔ、Ｖ１２Ｔのうち、電源入力ラインＬ１および／または信号入出力ラインＳＬ、電力機器ＤＫへの電源出力ラインＬ２および／または信号入出力ラインＳＬが接続若しくは電源入力ラインＬ１および／または信号入出力ラインＳＬを接続した入力電極部Ｌ１Ｐ、電力機器ＤＫへの電源出力ラインＬ２および／または信号入出力ラインＳＬを接続した出力電極部Ｌ２Ｐが同時に係合、又はプッシュインで後から接合された開閉端であるファスナーテープ１０、エレメント上脚部２０Ｖ１の先端部及び内側、エレメント下脚部２０Ｖ２の先端部及び内側のみに埋め込まれても良い。
【００３５】
図６は、第一実施例に示したスライドファスナーＳＦ１をファスナーユニットＦＵ１として複数個備え、１つ目のファスナーユニットＦＵ１１の上方保持部２０Ｖ１Ｒと２つ目のファスナーユニットＦＵ１２の下方保持部２０Ｖ２Ｒを連結電極部ＲＥＰを用いて連結して、順次新しいファスナーユニットの下方保持部と１つ前のファスナーユニットの上方保持部を連結電極部を用いて連結して重層構造とした斜視図である。同図において、複数個のファスナーユニットＦＵ１１、ＦＵ１２、・・・が弾力性のない部材で形成したエレメント上脚部２０Ｖ１及びエレメント下脚部２０Ｖ２を有するファスナーユニットの場合、各ファスナーユニットのスライダー３０を各ファスナーユニットの向かい合わせに配置したエレメント２０、２０に沿って摺動させて各ファスナーユニットのエレメント２０、２０を噛み合わせるときに１つ目のファスナーユニットＦＵ１１の上方保持部２０Ｖ１Ｒと２つ目のファスナーユニットＦＵ１２の下方保持部２０Ｖ２Ｒを連結電極部ＲＥＰを用いて連結して、順次新しいファスナーユニットの下方保持部と１つ前のファスナーユニットの上方保持部を連結電極部を用いて連結して複数個のファスナーユニットを重層構造とする。
【００３６】
なお、１つ目のファスナーユニットＦＵ１１の下方保持部２０Ｖ２Ｒと２つ目のファスナーユニットＦＵ１２の上方保持部２０Ｖ１Ｒを連結電極部ＲＥＰを用いて連結して、順次新しいファスナーユニットの上方保持部と１つ前のファスナーユニットの下方保持部を連結電極部を用いて連結して複数個のファスナーユニットを重層構造としても良い。
【００３７】
複数個のファスナーユニットＦＵ１１、ＦＵ１２、・・・が少なくとも一方を弾力性のある部材で形成したエレメント上脚部２０Ｖ１及びエレメント下脚部２０Ｖ２を有するファスナーユニットの場合、他方が弾力性のない部材で形成したエレメント上脚部２０Ｖ１及びエレメント下脚部２０Ｖ２の場合には各ファスナーユニットのスライダー３０を各ファスナーユニットの向かい合わせに配置したエレメント２０、２０に沿って摺動させて各ファスナーユニットのエレメント２０、２０を噛み合わせるときに１つ目のファスナーユニットＦＵ１の上方保持部２０Ｖ１Ｒと２つ目のファスナーユニットＦＵ２の下方保持部２０Ｖ２Ｒを連結電極部ＲＥＰを用いて連結して、順次新しいファスナーユニットの下方保持部と１つ前のファスナーユニットの上方保持部を連結電極部を用いて連結して複数個のファスナーユニットを重層構造とする。
【００３８】
なお、１つ目のファスナーユニットＦＵ１１の下方保持部２０Ｖ２Ｒと２つ目のファスナーユニットＦＵ１２の上方保持部２０Ｖ１Ｒを連結電極部ＲＥＰを用いて連結して、順次新しいファスナーユニットの上方保持部と１つ前のファスナーユニットの下方保持部を連結電極部を用いて連結して複数個のファスナーユニットを重層構造としても良い。
【００３９】
他方が弾力性のある部材で形成したエレメント上脚部２０Ｖ１及びエレメント下脚部２０Ｖ２の場合には各ファスナーユニットのスライダー３０を各ファスナーユニットの向かい合わせに配置したエレメント２０、２０に沿って摺動させて各ファスナーユニットのエレメント２０、２０を噛み合わせるときに１つ目のファスナーユニットＦＵ１１の上方保持部２０Ｖ１Ｒと２つ目のファスナーユニットＦＵ１２の下方保持部２０Ｖ２Ｒを連結電極部ＲＥＰに噛み合せるときに連結、又は後からプッシュインで連接して、順次新しいファスナーユニットの下方保持部と１つ前のファスナーユニットの上方保持部を連結電極部に噛み合せるときに連結、又は後からプッシュインで連接して複数個のファスナーユニットを重層構造とする。
【００４０】
なお、１つ目のファスナーユニットＦＵ１１の下方保持部２０Ｖ２Ｒと２つ目のファスナーユニットＦＵ１２の上方保持部２０Ｖ１Ｒを連結電極部ＲＥＰに噛み合せるときに連結、又は後からプッシュインで連接して、順次新しいファスナーユニットの上方保持部と１つ前のファスナーユニットの下方保持部を連結電極部に噛み合せるときに連結、又は後からプッシュインで連接して複数個のファスナーユニットを重層構造としても良い。
【００４１】
図７（１）は、第一実施例に示したスライドファスナーＳＦ１をファスナーユニットＦＵ１として複数個、例えば３個備え、１つ目のファスナーユニットＦＵ１１の上方保持部２０Ｖ１Ｒと２つ目のファスナーユニットＦＵ１２の下方保持部２０Ｖ２Ｒを連結電極部ＲＥＰを用いて連結、又は後からプッシュインで連接して、順次新しいファスナーユニットＦＵ１３の下方保持部と１つ前のファスナーユニットＦＵ１２の上方保持部を連結電極部を用いて連結、又は後からプッシュインで連接して重層構造とした３個のファスナーユニットＦＵ１１、ＦＵ１２、ＦＵ１３の各スライダー３０をエレメント２０、２０に沿って摺動させることにより開閉する水平方向Ｈ１の開閉端Ｈ１Ｔ１、Ｈ１Ｔ２、Ｈ１Ｔ３、最上位置と最下位置のファスナーユニットの垂直方向Ｖ１１、Ｖ１２の開閉端Ｖ１１Ｔ、Ｖ１２Ｔを示した概念図であり水平方向Ｈ１の開閉端Ｈ１Ｔ１、Ｈ１Ｔ２、Ｈ１Ｔ３、最上位置と最下位置の垂直方向Ｖ１１、Ｖ１２の開閉端Ｖ１１Ｔ、Ｖ１２Ｔのうち、何れか１つの開閉端に電源入力ラインＬ１および／または信号入出力ラインＳＬを接続若しくは電源入力ラインＬ１および／または信号入出力ラインＳＬを接続した入力電極部Ｌ１Ｐを係合し、他の開閉端に電力機器ＤＫへの電源出力ラインＬ２および／または信号入出力ラインＳＬを接続若しくは電力機器ＤＫへの電源出力ラインＬ２および／または信号入出力ラインＳＬを接続した出力電極部Ｌ２Ｐを係合して入出力ラインＬ１２を形成する組み合わせのパターンは、図７（２）〜図７（７６）に示すように、７５種類の組み合わせがある。なお、図７（２）〜図７（７６）の組み合わせパターンは、図７（１）に示すように、３個のファスナーユニットを重層構造とした一例であるが、他の数のファスナーユニットの場合でも組み合わせパターンの種類は同様に計算することが出来る。
【００４２】
即ち、水平方向Ｈ１の開閉端Ｈ１Ｔ１、Ｈ１Ｔ２、Ｈ１Ｔ３、最上位置と最下位置の垂直方向Ｖ１１、Ｖ１２の開閉端Ｖ１１Ｔ、Ｖ１２Ｔのうち、最上位置の垂直方向Ｖ１１の開閉端Ｖ１１Ｔを入力端とすると、その出力端は、残り４つの開閉端のうち、何れか１つの開閉端の４通り（図７（２）〜図７（５））、何れか２つの開閉端を組み合わせた６通り（図７（６）〜図７（１１））、何れか３つの開閉端を組み合わせた４通り（図７（１２）〜図７（１５））、残りの４つの開閉端を出力端とする１通り（図７（１６））を加えた１５通りがある。同様に、最下位の垂直方向Ｖ１２の開閉端Ｖ１２Ｔを入力端とすると、その出力端は、残り４つの開閉端のうち、何れか１つの開閉端の４通り（図７（１７）〜図７（２０））、何れか２つの開閉端を組み合わせた６通り（図７（２１）〜図７（２６））、何れか３つの開閉端を組み合わせた４通り（図７（２７）〜図７（３０））、残りの４つの開閉端を出力端とする１通り（図７（３１））を加えた１５通りがある。又、水平方向Ｈ１の開閉端Ｈ１Ｔ１、Ｈ１Ｔ２、Ｈ１Ｔ３のうち、何れか１つを入力端とすると、その出力端は、同様にそれぞれ１５通り（図７（３２）〜図７（４６）、図７（４７）〜図７（６１）、図７（６２）〜図７（７６））の組み合わせがあり、全部で７５種類の組み合わせがある。
【００４３】
連結電極部を用いて連結、又は後からプッシュインで連接して重層構造とした３個のファスナーユニットＦＵ１１〜ＦＵ１３にあっては、各ファスナーユニットＦＵ１１〜ＦＵ１３の向かい合わせに配置した一方及び他方のエレメント２０のファスナーテープ１０、エレメント上脚部２０Ｖ１の先端部及び内側、エレメント下脚部２０Ｖ２の先端部及び内側に埋め込まれる各電極は、図７（２）〜図７（７６）に示す７５種類の組み合わせの如何なる場合においても埋め込まれても良いが、水平方向Ｈ１の開閉端Ｈ１Ｔ１、Ｈ１Ｔ２、Ｈ１Ｔ３、最上位と最下位の垂直方向Ｖ１１、Ｖ１２の開閉端Ｖ１１Ｔ、Ｖ１２Ｔのうち、電源入力ラインＬ１および／または信号入出力ラインＳＬ、電力機器ＤＫへの電源出力ラインＬ２および／または信号入出力ラインＳＬが接続若しくは電源入力ラインＬ１および／または信号入出力ラインＳＬを接続した入力電極部Ｌ１Ｐ、電力機器ＤＫへの電源出力ラインＬ２および／または信号入出力ラインＳＬを接続した出力電極部Ｌ２Ｐが同時に係合、又はプッシュインで後から接合された開閉端であるファスナーテープ１０、エレメント上脚部２０Ｖ１の先端部及び内側、エレメント下脚部２０Ｖ２の先端部及び内側のみに埋め込まれても良い。
【００４４】
図８から図１３は、本発明によるスライドファスナーの第二実施例を示したものであり、スライドファスナーＳＦ４を構成するエレメント５０は、図８（ａ）に示すように、水平方向Ｈ５の一方に噛み合せ部５０Ｈ１、他方にファスナーテープ４０が固着されたファスナーテープ固定部５０Ｈ２を備えている。また、エレメント５０は、水平方向Ｈ５に対して一方の垂直方向Ｖ５１に延設し、延設した部分を鉤形に屈曲したエレメント脚部５０Ｖ１を備えている。
【００４５】
エレメント脚部５０Ｖ１の先端部には電源（＋）の電極５０ＫＶ１１、エレメント脚部５０Ｖ１の内側には電源（−）の電極５０ＫＶ１２、信号Ａの電極５０ＫＳＡＶ１、信号Ｂの電極５０１ＫＳＢＶ２がそれぞれ埋め込まれる。
【００４６】
エレメント脚部５０Ｖ１の先端部に埋め込まれた電源（＋）の電極５０ＫＶ１１、エレメント脚部５０Ｖ１の内側に埋め込まれた電源（−）の電極５０ＫＶ１２、信号Ａの電極５０ＫＳＡＶ１、信号Ｂの電極５０ＫＳＢＶ２はファスナーテープ固定部５０Ｈ２に固着されたファスナーテープ４０に埋め込まれた電源（＋）の電極４０ＫＶ１、電源（−）の電極４０ＫＶ２、信号Ａの電極４０ＫＳＡＶ１、信号Ｂの電極４０ＫＳＢＶ２とそれぞれ繋がれている。
【００４７】
このエレメント５０を、図８（ｂ）に示すように、向かい合わせに配置して、向かい合わせに配置した一方及び他方のエレメント５０、５０の噛み合せ部５０Ｈ１、５０Ｈ１の噛合・離脱に協働して向かい合わせに配置したエレメント脚部５０Ｖ１、５０Ｖ１の先端が近接・離散して保持部５０Ｖ１Ｒを形成する。
【００４８】
スライドファスナーＳＦ４を構成するスライダー６０は、図９に示すように、エレメント５０を挿通して噛合・離脱させるスライダー本体６０Ｔとスライダー本体６０Ｔを移動させる引き手６０Ｋとから構成されている。スライダー本体６０Ｔは、水平機能部側ケース６０ＴＨと垂直機能部側ケース６０ＴＶから成り、水平機能部側ケース６０ＴＨと垂直機能部側ケース６０ＴＶの間には水平方向Ｈの開閉端ＨＴである相対するファスナーテープ４０を挿通する水平スリット６０ＨＬが設けられ、また、垂直機能部側ケース６０ＴＶの真中には一方の垂直方向Ｖ１の開閉端Ｖ１Ｔに合わせて垂直スリット６０ＶＬが設けられている。
【００４９】
水平機能部側ケース６０ＴＨには図示はされてないが中心に引き手水平取付部６０ＴＨＫが立設され、垂直機能部側ケース６０ＴＶには垂直スリット６０ＶＬの両側に引き手垂直取付部６０ＴＶＫａ、６０ＴＶＫｂが立設されている。
【００５０】
引き手６０Ｋは、スライダー本体６０Ｔへの取付部６０ＫＴａ、６０ＫＴｂ、６０ＫＴｃと摘み部６０ＫＢから成り、取付部６０ＫＴａはスライダー本体６０Ｔの水平機能部側ケース６０ＴＨの引き手水平取付部６０ＴＨＫに、取付部６０ＫＴｂ、６０ＫＴｃはスライダー本体６０Ｔの垂直機能部側ケース６０ＴＶの引き手垂直取付部６０ＴＶＫａ、６０ＴＶＫｂに、スライダー本体６０Ｔの両側から挟み込むようにして取り付ける。この場合、スライダー６０を閉じるには引き手６０Ｋを矢印Ｘの方向に引き、スライダー６０を開くには引き手６０Ｋを矢印Ｙ方向に押す。
【００５１】
図１０は、第二実施例のスライドファスナーにおけるエレメントとスライダーを用いて電源および／または信号の入出力ラインを形成するスライドファスナーＳＦ４の斜視図、図１１（ａ）は、第二実施例に示したスライドファスナーＳＦ４のスライダー６０をエレメント５０に沿って摺動させることにより開閉する水平方向Ｈ５の開閉端Ｈ５Ｔ、一方の垂直方向Ｖ５１の開閉端Ｖ５１Ｔを示した概念図である。図１０において、エレメント５０のエレメント脚部５０Ｖ１を弾力性のない部材で形成したスライドファスナーの場合、スライダー６０を向かい合わせに配置したエレメント５０、５０に沿って摺動させてエレメントを噛み合させることにより相対するファスナーテープ４０である水平方向Ｈ５の開閉端Ｈ５Ｔを開閉するとともに保持部５０Ｖ１Ｒに入力電極部Ｌ１Ｐ若しくは出力電極部Ｌ２Ｐを同時に係合して一方の垂直方向Ｖ５１の開閉端Ｖ５１Ｔを開閉し、水平方向Ｈ５の開閉端Ｈ５Ｔ及び一方の垂直方向Ｖ５１の開閉端のうち、何れか１つの開閉端に電源入力ラインＬ１および／または信号入出力ラインＳＬを接続若しくは電源入力ラインＬ１および／または信号入出力ラインＳＬを接続した入力電極部Ｌ１Ｐを同時に係合し、他の開閉端に電力機器ＤＫへの電源出力ラインＬ２および／または信号入出力ラインＳＬを接続若しくは電力機器ＤＫへの電源出力ラインＬ２および／または信号入出力ラインＳＬを接続した出力電極部Ｌ２Ｐを同時に係合して電源および／または信号の入出力ラインＬ１２を形成する。
【００５２】
また、エレメント５０のエレメント脚部５０Ｖ１を弾力性のある部材で形成したスライドファスナーの場合、スライダー６０を向かい合わせに配置したエレメント５０、５０に沿って摺動させてエレメントを噛み合させることにより相対するファスナーテープ４０である水平方向Ｈ５の開閉端Ｈ５Ｔを開閉するとともに保持部５０Ｖ１Ｒに入力電極部Ｌ１Ｐ若しくは出力電極部Ｌ２Ｐを同時に係合、又はプッシュインで後から接合して一方の垂直方向Ｖ１の開閉端Ｖ１Ｔを開閉し、水平方向Ｈ５の開閉端Ｈ５Ｔ及び一方の垂直方向Ｖ５１の開閉端のうち、何れか１つの開閉端に電源入力ラインＬ１および／または信号入出力ラインＳＬを接続若しくは電源入力ラインＬ１および／または信号入出力ラインＳＬを接続した入力電極部Ｌ１Ｐを同時に係合、又はプッシュインで後から接合し、他の開閉端に電力機器ＤＫへの電源出力ラインＬ２および／または信号入出力ラインＳＬを接続若しくは電力機器ＤＫへの電源出力ラインＬ２および／または信号入出力ラインＳＬを接続した出力電極部Ｌ２Ｐを同時に係合、又はプッシュインで後から接合して電源および／または信号の入出力ラインＬ１２を形成する。
【００５３】
また、図１１（ａ）において、水平方向Ｈ５の開閉端Ｈ５Ｔ、一方の垂直方向Ｖ５１の開閉端Ｖ５１Ｔのうち、何れか１つの開閉端に電源入力ラインＬ１および／または信号入出力ラインＳＬを接続若しくは電源入力ラインＬ１および／または信号入出力ラインＳＬを接続した入力電極部Ｌ１Ｐを係合し、他の開閉端に電力機器ＤＫへの電源出力ラインＬ２および／または信号入出力ラインＳＬを接続若しくは電力機器ＤＫへの電源出力ラインＬ２および／または信号入出力ラインＳＬを接続した出力電極部Ｌ２Ｐを係合して入出力ラインＬ１２を形成する組み合わせのパターンは、図１１（ｂ）、図１１（ｃ）に示すように、２種類の組み合わせがある。
【００５４】
即ち、水平方向Ｈ５の開閉端Ｈ５Ｔ、一方の垂直方向Ｖ５１の開閉端Ｖ５１Ｔのうち、水平方向Ｈ５の開閉端Ｈ５Ｔを入力端とすると、その出力端は一方の垂直方向Ｖ５１の開閉端Ｖ５１Ｔ（図１１（ｂ））であり、一方の垂直方向Ｖ５１の開閉端Ｖ５１Ｔを入力端とすると、その出力端は水平方向Ｈ５の開閉端Ｈ５Ｔ（図１１（ｃ））であり、２種類の組み合わせがある。
【００５５】
図１２は、第二実施例に示したスライドファスナーＳＦ４をファスナーユニットＦＵ４として２個備え、２個のファスナーユニットＦＵ４１、ＦＵ４２の保持部５０Ｖ１Ｒ同士を連結電極部ＲＥＰを用いて連結して重層構造とした斜視図である。同図において、２個のファスナーユニットＦＵ４１、ＦＵ４２がともに弾力性のない部材で形成したエレメント脚部を有するファスナーユニットの場合、２個のファスナーユニットＦＵ４１、ＦＵ４２の各スライダー６０を２個のファスナーユニットＦＵ４１、ＦＵ４２の向かい合わせに配置したエレメント５０に沿って摺動させて２個のファスナーユニットＦＵ４１、ＦＵ４２のエレメント５０を各々噛み合せるときに２個のファスナーユニットＦＵ４１、ＦＵ４２の保持部５０Ｖ１Ｒ同士を連結電極部ＲＥＰを用いて垂直方向に連結して２個のファスナーユニットＦＵ４１、ＦＵ４２を重層構造とする。
【００５６】
２個のファスナーユニットＦＵ４１、ＦＵ４２の少なくとも一方のファスナーユニットＦＵ４１が弾力性のある部材で形成したエレメント脚部を有するファスナーユニットの場合、他方のファスナーユニットＦＵ４２が弾力性のない部材で形成したエレメント脚部を有するファスナーユニットの場合には弾力性のない部材で形成したエレメント脚部を有するファスナーユニットＦＵ４２のスライダー６０をファスナーユニットの向かい合わせに配置したエレメント５０に沿って摺動させてファスナーユニットのエレメントを噛み合せるときにファスナーユニットの保持部５０Ｖ１Ｒを連結電極部ＲＥＰを用いて垂直方向に連結し、その後で弾力性のある部材で形成したエレメント脚部を有するファスナーユニットＦＵ４１のエレメントを噛み合せるときに保持部５０Ｖ１Ｒを連結電極部ＲＥＰを用いて同時に連結、又は後から垂直方向にプッシュインで連接し、他方のファスナーユニットＦＵ４２が弾力性のある部材で形成したエレメント脚部を有するファスナーユニットの場合には２個のファスナーユニットの各スライダーを２個のファスナーユニットの向かい合わせに配置したエレメント５０に沿って摺動させて２個のファスナーユニットのエレメントを各々噛み合せるときに弾力性のある部材で形成したエレメント脚部を有するファスナーユニットの保持部５０Ｖ１Ｒ同士を連結電極部ＲＥＰを用いて連結、又は噛み合せた後で垂直方向にプッシュインで連接して２個のファスナーユニットＦＵ４１、ＦＵ４２を重層構造とする。
【００５７】
図１３（ａ）は、第二実施例に示したスライドファスナーＳＦ４をファスナーユニットＦＵ４として２個備え、２個のファスナーユニットの保持部５０Ｖ１Ｒ同士を連結電極部ＲＥＰを用いて連結して重層構造とした２個のファスナーユニットの各スライダーを２個のファスナーユニットの向かい合わせに配置したエレメントに沿って摺動させることにより開閉する水平方向Ｈ５の開閉端Ｈ５Ｔ１、Ｈ５Ｔ２を示した概念図であり、重層構造とした２個のファスナーユニットの水平方向Ｈ５の開閉端のうち、一方のファスナーユニットの水平方向Ｈ５の開閉端Ｈ５Ｔ１に電源入力ラインＬ１および／または信号入出力ラインＳＬを接続し、他方のファスナーユニットの水平方向Ｈ５の開閉端Ｈ５Ｔ１に電力機器ＤＫへの電源出力ラインＬ２および／または信号入出力ラインＳＬを接続して電源および／または信号の入出力ラインＬ１２を形成する組み合わせのパターンは、図１３（ｂ）、図１３（ｃ）に示すように、２種類の組み合わせがある。
【００５８】
即ち、水平方向Ｈ５の開閉端Ｈ５Ｔ１、Ｈ５Ｔ２のうち、一方のファスナーユニットの水平方向Ｈ５の開閉端Ｈ５Ｔ１を入力端とすると、その出力端は他方のファスナーユニットの水平方向Ｈ５の開閉端Ｈ５Ｔ２（図１３（ｂ））であり、他方のファスナーユニットの水平方向Ｈ５の開閉端Ｈ５Ｔ２を入力端とすると、その出力端は一方のファスナーユニットの水平方向Ｈ５の開閉端Ｈ５Ｔ１（図１３（ｃ））であり、２種類の組み合わせがある。
【００５９】
図１４から図１７は、本発明によるスライドファスナーの第三実施例を示したものであり、スライドファスナーＳＦ７を構成するエレメント８０は、図１４（ａ）に示すように、水平方向Ｈ８の一方に噛み合せ部８０Ｈ１、他方にファスナーテープ７０が固着されたファスナーテープ固定部８０Ｈ２を備えている。また、エレメント８０は、水平方向Ｈ８に対して上下の垂直方向Ｖ８１、Ｖ８２に延設し、上方に延設した部分を矢頭形状に形成したエレメント係合片８０Ｖ１及び下方に延設した部分を鉤形に屈曲したエレメント係合受片８０Ｖ２を備えている。
【００６０】
エレメント係合片８０Ｖ１の矢の柱側部分に電源（＋）の電極８０ＫＶ１１、矢頭部分に電源（−）の電極８０ＫＶ１２、信号Ａの電極８０ＫＳＡＶ１、信号Ｂの電極８０ＫＳＢＶ１がそれぞれ埋め込まれる。また、エレメント係合受片８０Ｖ２の先端部には電源（＋）の電極８０ＫＶ２１、エレメント係合受片８０Ｖ２の内側には電源（−）の電極８０ＫＶ２２、信号Ａの電極８０ＫＳＡＶ２、信号Ｂの電極８０ＫＳＢＶ２がそれぞれ埋め込まれる。
【００６１】
エレメント係合片８０Ｖ１の矢の柱側部分に埋め込まれた電源（＋）の電極８０ＫＶ１１、矢頭部分に埋め込まれた電源（−）の電極８０ＫＶ１２、信号Ａの電極８０ＫＳＡＶ１、信号Ｂの電極８０ＫＳＢＶ１とエレメント係合受片８０Ｖ２の先端部に埋め込まれた電源（＋）の電極８０ＫＶ２１、エレメント係合受片８０Ｖ２の内側に埋め込まれた電源（−）の電極８０ＫＶ２２、信号Ａの電極８０ＫＳＡＶ２、信号Ｂの電極８０ＫＳＢＶ２は噛み合せ部８０Ｈ１の内部或いは表面に沿って電気的に繋がれ、更にファスナーテープ固定部８０Ｈ２に固着されたファスナーテープ７０に埋め込まれた電源（＋）の電極７０ＫＶ１、電源（−）の電極７０ＫＶ２、信号Ａの電極７０ＫＳＡＶ１、信号Ｂの電極７０ＫＳＢＶ１とそれぞれ繋がれている。
【００６２】
このエレメント８０を、図１４（ｂ）に示すように、向かい合わせに配置して、向かい合わせに配置した一方及び他方のエレメント８０、８０の噛み合せ部８０Ｈ１、８０Ｈ１を噛み合せることにより、向かい合わせに配置したエレメント８０、８０のエレメント係合片８０Ｖ１、８０Ｖ１同士でエレメント係合部８０Ｖ１Ｒを形成し、向かい合わせにしたエレメント８０、８０のエレメント係合受片８０Ｖ２、８０Ｖ２同士でエレメント係合受部８０Ｖ２Ｒを形成する。また、エレメント係合部８０Ｖ１Ｒは先端に尖頭部８０Ｖ１Ｓを有する矢頭形状であり、エレメント係合受部８０Ｖ２Ｒは、下方に延設したエレメント係合受片８０Ｖ２、８０Ｖ２を鉤型８０Ｖ２Ｇ、８０Ｖ２Ｇに形成して、矢頭形状のエレメント係合部８０Ｖ１Ｒが係合するように矢頭受形状である。
【００６３】
スライドファスナーＳＦ７を構成するスライダー９０は、図１５に示すように、エレメント８０を挿通して噛合・離脱させるスライダー本体９０Ｔとスライダー本体９０Ｔを移動させる引き手９０Ｋとから構成されている。スライダー本体９０Ｔは上方垂直側ケース９０ＴＵと下方垂直側ケース９０ＴＤから成り、上方垂直側ケース９０ＴＵと下方垂直側ケース９０ＴＤの間にはファスナーテープ７０を挿通する水平スリット９０ＴＨが設けられる。
【００６４】
引き手９０Ｋは、スライダー本体９０Ｔへの取付部９０ＫＴと摘み部９０ＫＢから成り、取付部９０ＫＴを上方垂直側ケース９０ＴＵに立設された引き手取付部９０ＴＵＫに係合する。
【００６５】
図１６は、第三実施例に示したスライドファスナーＳＦ７をファスナーユニットＦＵ７として複数個備え、既にエレメント８０の噛み合せ部８０Ｈ１が噛み合されて形成された１つ目のファスナーユニットＦＵ７１のエレメント係合部８０Ｖ１Ｒを２つ目のファスナーユニットＦＵ７２のエレメント係合受部８０Ｖ２Ｒに係合して、順次新しいファスナーユニットのエレメント係合受部に１つ前のファスナーユニットのエレメント係合部を係合して重層構造としたスライドファスナーを用いて電源および／または信号の入出力ラインを形成するスライドファスナーの斜視図である。この第三実施例においては、エレメント８０の一方をエレメント係合部８０Ｖ１Ｒとしているので、ファスナーユニットＦＵ７を重層構造するにあたり連結電極部を必要としない。
【００６６】
同図において、複数個のファスナーユニットのうちエレメント係合受片８０Ｖ２が弾力性のない部材で形成したファスナーユニットを重層接続する場合、各ファスナーユニットのスライダー９０を各ファスナーユニットのエレメント８０、８０に沿って摺動させて各ファスナーユニットのエレメント８０、８０を噛み合わせるときに、既に噛み合せ部８０Ｈ１が噛み合わされた１つ目のファスナーユニットＦＵ７１の係合部８０Ｖ１Ｒを弾力性のない部材で形成した２つ目のファスナーユニットＦＵ７２のエレメント係合受部８０Ｖ２Ｒに係合して、順次新しいファスナーユニットのエレメント係合受部８０Ｖ２Ｒに１つ前のファスナーユニットのエレメント係合部８０Ｖ１Ｒを係合して複数個のファスナーユニットを重層接続し、複数個のファスナーユニットの水平方向Ｈ８の開閉端Ｈ８Ｔ、位置的に最下位のファスナーユニットの係合受部の開閉端Ｖ８１Ｔのうち、何れか１つに電源入力ラインＬ１および／または信号入出力ラインＳＬを接続若しくは電源入力ラインＬ１および／または信号入出力ラインＳＬを接続した入力電極部Ｌ１Ｐを係合し、他の何れかに電力機器ＤＫへの電源出力ラインＬ２および／または信号入出力ラインＳＬを接続若しくは電力機器ＤＫへの電源出力ラインＬ２を接続した出力電極部Ｌ２Ｐを係合して電源および／または信号の入出力ラインＬ１２を形成する。
【００６７】
複数個のファスナーユニットのうちエレメント係合受片８０Ｖ２が弾力性のある部材で形成したファスナーユニットを重層接続する場合、各ファスナーユニットのスライダー９０を各ファスナーユニットのエレメント８０、８０に沿って摺動させて各ファスナーユニットのエレメント８０、８０を噛み合わせるときに、既に噛み合せ部８０Ｈ１が噛み合わされた１つ目のファスナーユニットＦＵ７１のエレメント係合部８０Ｖ１Ｒを弾力性のある部材で形成した２つ目のファスナーユニットＦＵ７２のエレメント係合受部８０Ｖ２Ｒに係合して、順次新しいファスナーユニットのエレメント係合受部８０Ｖ２Ｒに１つ前のファスナーユニットのエレメント係合部８０Ｖ１Ｒを同時に係合又はプッシュインで後から接合して複数のファスナーユニットを重層接続し、複数個のファスナーユニットの水平方向Ｈ８の開閉端Ｈ８Ｔ、位置的に最下位のファスナーユニットの係合受部の開閉端Ｖ８１Ｔのうち、何れか１つに電源入力ラインＬ１および／または信号入出力ラインＳＬを接続若しくは電源入力ラインＬ１および／または信号入出力ラインＳＬを接続した入力電極部Ｌ１Ｐを係合、又はプッシュインで接合し、他の何れかに電力機器ＤＫへの電源出力ラインＬ２および／または信号入出力ラインＳＬを接続若しくは電力機器ＤＫへの電源出力ラインＬ２および／または信号入出力ラインＳＬを接続した出力電極部Ｌ２Ｐを係合、又はプッシュインで接合して電源および／または信号の入出力ラインＬ１２を形成する。
【００６８】
図１７（ａ）は、第三実施例に示したスライドファスナーＳＦ７をファスナーユニットＦＵ７として複数個備え、既にエレメント８０の噛み合せ部８０Ｈ１が噛み合されて形成された１つ目のファスナーユニットＦＵ７１のエレメント係合部８０Ｖ１Ｒを２つ目のファスナーユニットＦＵ７２のエレメント係合受部８０Ｖ２Ｒに係合して、順次新しいファスナーユニットのエレメント係合受部に１つ前のファスナーユニットのエレメント係合部を係合して重層構造とした複数のファスナーユニットの各スライダー９０をエレメント８０、８０に沿って摺動させることにより開閉する水平方向Ｈ８の開閉端Ｈ８Ｔ１、Ｈ８Ｔ２、位置的に最下位のファスナーユニットの係合受部の開閉端Ｖ８Ｔを示した概念図であり、例えば２個のファスナーユニットＦＵ７１、ＦＵ７２を重層構造とした場合、水平方向Ｈ８の開閉端Ｈ８Ｔ１、Ｈ８Ｔ２、位置的に最下位のファスナーユニットの係合受部の開閉端Ｖ８Ｔのうち、何れか１つに電源入力ラインＬ１および／または信号入出力ラインＳＬを接続若しくは電源入力ラインＬ１および／または信号入出力ラインＳＬを接続した入力電極部Ｌ１Ｐを係合、又はプッシュインで接合し、他の何れかに電力機器ＤＫへの電源出力ラインＬ２および／または信号入出力ラインＳＬを接続若しくは、電力機器ＤＫへの電源出力ラインＬ２および／または信号入出力ラインＳＬを接続した出力電極部Ｌ２Ｐを係合、又はプッシュインで接合して電源および／または信号の入出力ラインＬ１２を形成する組み合わせのパターンは、図１７（ｂ）〜図１７（ｊ）に示すように９種類の組み合わせがある。
【００６９】
即ち、水平方向の開閉端Ｈ８Ｔ１、Ｈ８Ｔ２、位置的に最下位のファスナーユニットの係合受部の開閉端Ｖ８Ｔのうち、一方の水平方向の開閉端Ｈ８Ｔ１を入力端とすると、その出力端は、残り２つの開閉端のうち、何れか１つの開閉端の２通り（図１７（ｂ）〜図７（ｃ））、残り２つの開閉端を組み合わせた１通り（図１７（ｄ）を加えた３通りがある。同様に他方の水平方向の開閉端Ｈ８Ｔ２を入力端とすると、その出力端は、残り２つの開閉端のうち、何れか１つの開閉端の２通り（図１７（ｅ）〜図７（ｆ））、残り２つの開閉端を組み合わせた１通り（図１７（ｇ）を加えた３通りがある。また、最下位のファスナーユニットの係合受部の開閉端Ｖ８Ｔを入力端とすると、その出力端は、残り２つの開閉端のうち、何れか１つの開閉端の２通り（図１７（ｈ）〜図７（ｉ））、残り２つの開閉端を組み合わせた１通り（図１７（ｊ）を加えた３通りがあり、全部で９種類の組み合わせがある。
【００７０】
なお、ファスナーテープ７０、エレメント係合片８０Ｖ１、エレメント係合受片８０Ｖ２に埋め込まれる各電極は、図１７（ｂ）〜図１７（ｊ）に示す９種類の組み合わせの如何なる場合においても埋め込まれても良いが、電源入力ラインおよび／または信号入出力ライン若しくは、電力機器への電源出力ラインおよび／または信号入出力ラインが接続された開閉端である相対するファスナーテープ、重層構造とした複数個のファスナーユニットのエレメント係合部、エレメント係合受部のうち、重層接続若しくは電源入力ラインおよび／または信号入出力ラインを接続した入力電極部及び電力機器への電源出力ラインおよび／または信号入出力ラインを接続した出力電極部が係合されたエレメント係合片、エレメント係合受片のみに埋め込まれても良い。
【００７１】
図１８〜図２２は、前述の各実施例に共通して用いられる入力電極部、出力電極部、連結電極部を示したものである。図１８は入力電極部Ｌ１Ｐの一例を示したもので、入力電極部Ｌ１Ｐは、矢頭形状の電極部Ｌ１Ｐｙと接続部Ｌ１Ｐｃから成り、電極部Ｌ１Ｐｙには電源（−）の電極の他に各種信号を送受信する信号Ａの電極、信号Ｂの電極が埋め込まれる。接続部Ｌ１Ｐｃの両側には電源（＋）の電極が埋め込まれ、入力側に設けられた電源ユニットＰＵ（不図示）、信号ユニットＳＵ（不図示）に接続される。
【００７２】
図１９は出力電極部Ｌ２Ｐの一例を示したもので、出力電極部Ｌ２Ｐは、矢頭形状の電極部Ｌ２Ｐｙと接続部Ｌ２Ｐｃから成り、電極部Ｌ２Ｐｙには電源（＋）の電極と電源（−）の電極の他に各種信号を送受信する信号Ａの電極、信号Ｂの電極が埋め込まれる。接続部Ｌ２Ｐｃは出力側に設けられた電力機器としての照明器具ＤＫＬに接続される。
【００７３】
図２０〜図２２は、第一実施例及び第二実施例におけるスライドファスナーを複数個連結して重層構造とするために用いる連結電極部ＲＥＰの各実施例を示したものであり、図２０（ａ）の一例に示すように、矢頭形状の電極部ＲＥＰｙを両側に備え、両電極部ＲＥＰｙの間を連結部ＲＥＰｃで接続する。図２０（ｂ）は矢頭形状の電極部ＲＥＰｙを拡大した図である。図２１及び図２２は、連結電極部の他の例を示し、図２１に示すように、連結部ＲＥＰｃの途中から外部入出力端部ＲＥＰＴを設け入力電源ユニット、出力外部電力機器、入出力ラインへ分岐接続したり、図２２に示すように、外部入出力端部ＲＥＰＴにさらに電極部ＲＥＰＫを追加して別のスライドファスナーへ分岐接続することもできる。
【００７４】
電力機器ＤＫは、照明器具ＤＫＬ、監視カメラＤＫＭ、マイク、スピーカー、火災感知器ＤＫＱ、無線ＬＡＮ中継器ＤＫＣ、扇風機、充電器、時計、バーコードリーダー、熱線センサー（人感センサー）、防犯センサー（ガラス割れ、侵入警報用近接センサー）、情報表示端末（デジタルサイネージュ）、太陽光発電パネル、等が考えられる。照明器具ＤＫＬの場合は、点灯、消灯、点滅、点灯・点滅のパターンコントロール信号が一斉、又は個別にＩＤ、アドレス設定することにより送信可能である。電源供給のみスライドファスナーから受け、コントロール信号は無線による方法も考えられる。
【００７５】
次に、本発明のスライドファスナーの閉成作用によって形成する電源および／または信号の入出力ラインを、建物内の天井、壁、建物の外壁、街路樹の樹木に沿って、或いは立設した支柱から放射状にロープを張るようにして張設可能にした使用例について説明する。図２３（ａ）は各実施例におけるスライドファスナーを用いて形成する電源および／または信号の入出力ラインを建物の天井に張設可能にした具体図を示し、図２３（ｂ）は、電力機器としての照明器具が接続されたスライドファスナーの詳細図、図２３（ｃ）は電力機器としての無線ＬＡＮ中継器が接続されたスライドファスナーの詳細図である。図２４（ａ）は各実施例におけるスライドファスナーを用いて形成する電源および／または信号の入出力ラインを立設した支柱から空中にロープを張るように張設可能にした具体図を示し、図２４（ｂ）は電源および／または信号の入出力ラインに接続された電力機器としての照明器具の詳細図である。
【００７６】
図２３（ａ）は、各実施例におけるスライドファスナーを用いて形成する電源および／または信号の入出力ラインを、建物の天井に張設可能にした具体図である。建物の天井には各実施例におけるスライドファスナーＳＦ１、ＳＦ４、ＳＦ７によって形成された複数の電力供給ラインＬ１２Ｐ、Ｌ１３Ｐ、Ｌ１４Ｐが張り巡らされ、電力供給ラインＬ１２Ｐの一端は電源ユニットＰＵ（不図示）に接続されている。第一実施例のスライドファスナーＳＦ１及び第二実施例のスライドファスナーＳＦ４においては、電力供給ラインＬ１３Ｐ、Ｌ１４Ｐは、連結電極部ＲＥＰにより重層構造にされた複数のファスナーユニットのうち、一方のファスナーユニットＦＵ１から両側に分岐された連結ラインＬ１５Ｐによって連結され、電力供給ラインＬ１２Ｐを経由して電源が供給され電力機器ＤＫを機能させる。なお、第三実施例のスライドファスナーＳＦ７においては、連結電極部がなくても重層構造とすることが可能であり、電力供給ラインＬ１３Ｐ、Ｌ１４Ｐは、重層構造にされた複数のファスナーユニットのうち、一方のファスナーユニットＦＵ１から両側に分岐された連結ラインＬ１５Ｐによって連結され、電力供給ラインＬ１２Ｐを経由して電源が供給され電力機器ＤＫを機能させる。電力機器ＤＫの一例として、照明器具ＤＫＬ１、ＤＫＬ２、火災報知機ＤＫＱが電力供給ラインＬ１２Ｐに、無線ＬＡＮ中継器ＤＫＣ、照明器具ＤＫＬ３が電力供給ラインＬ１３Ｐに、監視カメラＤＫＭ、照明器具ＤＫＬ４が電力供給ラインＬ１４Ｐに、それぞれ接続される。
【００７７】
図２３（ｂ）は、電力機器ＤＫとしての照明器具ＤＫＬが接続されたスライドファスナーＳＦの詳細図であり、スライドファスナーとしては、第一実施例に示したスライドファスナーＳＦ１が採用される。図２３（ｃ）は、電力機器ＤＫとしての無線ＬＡＮ中継器ＤＫＣが接続されたスライドファスナーＳＦの詳細図であり、スライドファスナーとしては、第二実施例に示したスライドファスナーＳＦ４が採用される。
【００７８】
図２４（ａ）は各実施例におけるスライドファスナーを用いて形成する電源および／または信号の入出力ラインを、立設した支柱から放射状にロープを張るようにして張設可能にした具体図である。中央に立設した支柱ＣＷにはスライドファスナーＳＦによって形成された電源および／または信号の入出力ラインＬ１２が敷設され、その一端は電源ユニットＰＵおよび／または信号ユニットＳＵに接続されている。中央に立設した支柱ＣＷからその周囲に設置された複数本の支柱ＣＷｎに放射状にロープを張るようにして電源および／または信号の入出力ラインＬ１２が張設され、スライドファスナーＳＦの閉成作用によって電源および／または信号が供給される。
【００７９】
図２４（ｂ）は電源および／または信号の入出力ラインＬ１２に接続された電力機器ＤＫとしての照明器具ＤＫＬの詳細を示したものである。照明器具ＤＫＬには電源ユニットＰＵから電源供給のみならず、信号ユニットＳＵから点灯、消灯、点滅、点灯・点滅のパターンコントロール信号が一斉、又は個別にＩＤ、アドレス設定することにより送信可能である。また、電源供給のみスライドファスナーから受け、コントロール信号は無線による方法も考えられる。
【００８０】
以上の説明から明らかなように、本発明のスライドファスナーによれば、特異形状のエレメントを有するスライドファスナーの閉成作用によって建物内の天井、壁、建物の外壁、街路樹の樹木に沿って、或いは立設した支柱から放射状にロープを張るようにして電力機器を機能させる入出力ラインを形成することが可能となり、電力機器を設置する場所に制限がなく、また設置した後でも移動して使用することができる。
【符号の説明】
【００８１】
ＳＦ  スライドファスナー
ＰＵ  電源ユニット
ＳＵ  信号ユニット
ＤＫ  電力機器
ＤＫＬ  照明器具
ＤＫＭ  監視カメラ
ＤＫＱ  火災報知機
ＤＫＣ  無線ＬＡＮ中継器
Ｌ１Ｐ  入力電極部
Ｌ２Ｐ  出力電極部
ＲＥＰ  連結電極部
Ｌ１  電源入力ライン
Ｌ２  電源出力ライン
ＳＬ  信号入出力ライン
Ｌ１２  電源および／または信号の入出力ライン
ＳＦ１  スライドファスナー（第一実施例）
ＦＵ１  ファスナーユニット
Ｈ１Ｔ  水平方向の開閉端
Ｖ１１Ｔ  上方の垂直方向の開閉端
Ｖ１２Ｔ  下方の垂直方向の開閉端
１０  ファスナーテープ
２０  エレメント
２０Ｈ１  噛み合せ部
２０Ｈ２  ファスナーテープ固定部
２０Ｖ１  エレメント上脚部
２０Ｖ２  エレメント下脚部
２０Ｖ１Ｒ  上方保持部
２０Ｖ２Ｒ  下方保持部
３０  スライダー
３０Ｔ  スライダー本体
３０Ｋ  引き手
ＳＦ４  スライドファスナー（第二実施例）
ＦＵ４  ファスナーユニット
Ｈ５Ｔ  水平方向の開閉端
Ｖ５１Ｔ  一方の垂直方向の開閉端
４０  ファスナーテープ
５０  エレメント
５０Ｈ１  噛み合せ部
５０Ｈ２  ファスナーテープ固定部
５０Ｖ１  エレメント脚部
５０Ｖ１Ｒ  保持部
６０  スライダー
６０Ｔ  スライダー本体
６０Ｋ  引き手
ＳＦ７  スライドファスナー（第三実施例）
ＦＵ７  ファスナーユニット
Ｈ８Ｔ  水平方向の開閉端
Ｖ８１Ｔ  係合受部の開閉端
７０  ファスナーテープ
８０  エレメント
８０Ｈ１  噛み合せ部
８０Ｈ２  ファスナーテープ固定部
８０Ｖ１  エレメント係合片
８０Ｖ２  エレメント係合受片
８０Ｖ１Ｒ  エレメント係合部
８０Ｖ２Ｒ  エレメント係合受部
９０  スライダー
９０Ｔ  スライダー本体
９０Ｋ  引き手
【図１】
2013093262.tif 000003
【図２】
2013093262.tif 000004
【図３】
2013093262.tif 000005
【図４】
2013093262.tif 000006
【図５】
2013093262.tif 000007
【図６】
2013093262.tif 000008
【図７】
2013093262.tif 000009
【図８】
2013093262.tif 000010
【図９】
2013093262.tif 000011
【図１０】
2013093262.tif 000012
【図１１】
2013093262.tif 000013
【図１２】
2013093262.tif 000014
【図１３】
2013093262.tif 000015
【図１４】
2013093262.tif 000016
【図１５】
2013093262.tif 000017
【図１６】
2013093262.tif 000018
【図１７】
2013093262.tif 000019
【図１８】
2013093262.tif 000020
【図１９】
2013093262.tif 000021
【図２０】
2013093262.tif 000022
【図２１】
2013093262.tif 000023
【図２２】
2013093262.tif 000024
【図２３】
2013093262.tif 000025
【図２４】
2013093262.tif 000026
【手続補正書】
【提出日】平成24年3月29日(2012.3.29)
【手続補正１】
【補正対象書類名】特許請求の範囲
【補正対象項目名】請求項１
【補正方法】変更
【補正の内容】
【請求項１】
入力側に設けた電源ユニット及び信号ユニットと出力側に設けた電力機器との間にスライドファスナーを介在させ、その閉成作用によって電力機器を機能させる入出力ラインを形成するにあたり、
相対するファスナーテープの開閉端の縁部に沿って向かい合わせに列設されたエレメントとスライダーとから構成され、
前記エレメントは、水平方向の一方に設けた噛み合せ部及び他方に設けたファスナーテープ固定部と、前記水平方向に対して上下の垂直方向に延設し、上方の垂直方向に延設した部分を鉤形に屈曲したエレメント上脚部及び下方の垂直方向に延設した部分を鉤形に屈曲したエレメント下脚部とを備え、前記エレメントを向かい合わせに配置して、向かい合わせに配置したエレメントの噛み合せ部の噛合・離脱に協働して向かい合わせに配置したエレメント上脚部の先端を近接・離散して形成する上方保持部と、向かい合わせに配置したエレメント下脚部の先端を近接・離散して形成する下方保持部とを形成し、
前記エレメント上脚部及びエレメント下脚部をともに弾力性のない部材で形成したスライドファスナーの場合、前記スライダーを前記向かい合わせに配置したエレメントに沿って摺動させて前記エレメントを噛合させることにより相対するファスナーテープである水平方向の開閉端を閉成するとともに上方保持部及び下方保持部に入力電極部若しくは出力電極部を同時に係合して上下の垂直方向の開閉端を閉成し、前記エレメント上脚部及びエレメント下脚部のうち少なくとも一方を弾力性のある部材で形成したスライドファスナーの場合、前記スライダーを前記向かい合わせに配置したエレメントに沿って摺動させて前記エレメントを噛合させることにより相対するファスナーテープである水平方向の開閉端を閉成するとともに上方保持部及び下方保持部に前記入力電極部若しくは前記出力電極部を同時に係合、又はプッシュインで後から接合して上下の垂直方向の開閉端を閉成するスライドファスナーであって、
前記水平方向の開閉端及び前記上下の垂直方向の開閉端のうち、何れか１つの開閉端に電源入力ラインおよび／または信号入出力ラインを接続若しくは電源入力ラインおよび／または信号入出力ラインを接続した前記入力電極部を同時に係合、又はプッシュインで後から接合し、他の開閉端に前記電力機器への電源出力ラインおよび／または信号入出力ラインを接続若しくは前記電力機器への電源出力ラインおよび／または信号入出力ラインを接続した前記出力電極部を同時に係合、又はプッシュインで後から接合して電源および／または信号の入出力ラインを形成することを特徴とするスライドファスナー。
【手続補正２】
【補正対象書類名】特許請求の範囲
【補正対象項目名】請求項３
【補正方法】変更
【補正の内容】
【請求項３】
入力側に設けた電源ユニット及び信号ユニットと出力側に設けた電力機器との間にスライドファスナーを介在させ、その閉成作用によってスライドファスナーを複数個連結接続するとともに連結部の途中から外部入出力端部を設けた連結電極部を経由して電力機器を機能させる入出力ラインを形成するにあたり、
相対するファスナーテープの開閉端の縁部に沿って向かい合わせに列設されたエレメントとスライダーとから構成され、
前記エレメントは、水平方向の一方に設けた噛み合せ部及び他方に設けたファスナーテープ固定部と、前記水平方向に対して上下の垂直方向に延設し、上方の垂直方向に延設した部分を鉤形に屈曲したエレメント上脚部及び下方の垂直方向に延設した部分を鉤形に屈曲したエレメント下脚部とを備え、前記エレメントを向かい合わせに配置して、向かい合わせに配置したエレメントの噛み合せ部の噛合・離脱に協働して向かい合わせに配置したエレメント上脚部の先端を近接・離散して形成する上方保持部と、向かい合わせに配置したエレメント下脚部の先端を近接・離散して形成する下方保持部とを形成し、
前記スライダーを前記向かい合わせに配置したエレメントに沿って摺動させて前記エレメントを噛合させることにより相対するファスナーテープである水平方向の開閉端を閉成するとともに上方保持部及び下方保持部に入力電極部若しくは出力電極部を係合して上下の垂直方向の開閉端を閉成するファスナーユニットを複数個備えたスライドファスナーであって、
前記エレメント上脚部及び前記エレメント下脚部を弾力性のない部材で形成したファスナーユニットと前記エレメント上脚部及び前記エレメント下脚部のうち少なくとも一方を弾力性のある部材で形成したファスナーユニットとをそれぞれ備え、
前記複数個のファスナーユニットが弾力性のない部材で形成したエレメント上脚部及びエレメント下脚部を有するファスナーユニットの場合、各ファスナーユニットのスライダーを前記各ファスナーユニットの向かい合わせに配置したエレメントに沿って摺動させて前記各ファスナーユニットのエレメントを噛み合わせるときに１つ目のファスナーユニットの上方保持部と２つ目のファスナーユニットの下方保持部又は１つ目のファスナーユニットの下方保持部と２つ目のファスナーユニットの上方保持部を前記連結電極部を用いて連結して、順次新しいファスナーユニットの下方保持部と１つ前のファスナーユニットの上方保持部又は順次新しいファスナーユニットの上方保持部と１つ前のファスナーユニットの下方保持部を前記連結電極部を用いて連結し、
前記複数個のファスナーユニットが少なくとも一方を弾力性のある部材で形成したエレメント上脚部及びエレメント下脚部を有するファスナーユニットの場合、他方が弾力性のない部材で形成したエレメント上脚部及びエレメント下脚部の場合には各ファスナーユニットのスライダーを前記各ファスナーユニットの向かい合わせに配置したエレメントに沿って摺動させて前記各ファスナーユニットのエレメントを噛み合わせるときに１つ目のファスナーユニットの上方保持部と２つ目のファスナーユニットの下方保持部又は１つ目のファスナーユニットの下方保持部と２つ目のファスナーユニットの上方保持部を前記連結電極部を用いて連結して、順次新しいファスナーユニットの下方保持部と１つ前のファスナーユニットの上方保持部又は順次新しいファスナーユニットの上方保持部と１つ前のファスナーユニットの下方保持部を前記連結電極部を用いて連結し、他方が弾力性のある部材で形成したエレメント上脚部及びエレメント下脚部の場合には各ファスナーユニットのスライダーを前記各ファスナーユニットの向かい合わせに配置したエレメントに沿って摺動させて前記各ファスナーユニットのエレメントを噛み合わせるときに１つ目のファスナーユニットの上方保持部と２つ目のファスナーユニットの下方保持部又は１つ目のファスナーユニットの下方保持部と２つ目のファスナーユニットの上方保持部を前記連結電極部に噛み合せるときに連結、又は後からプッシュインで連接して、順次新しいファスナーユニットの下方保持部と１つ前のファスナーユニットの上方保持部又は順次新しいファスナーユニットの上方保持部と１つ前のファスナーユニットの下方保持部を前記連結電極部に噛み合せるときに連結、又は後からプッシュインで連接して複数のファスナーユニットを重層構造にするとともに、
前記重層構造とした複数のファスナーユニットの水平方向の開閉端及び最上位置と最下位置のファスナーユニットの垂直方向の開閉端のうち、何れか１つの開閉端に電源入力ラインおよび／または信号入出力ラインを接続若しくは電源入力ラインおよび／または信号入出力ラインを接続した前記入力電極部を係合、又はプッシュインで接合し、他の開閉端に前記電力機器への電源出力ラインおよび／または信号入出力ラインを接続若しくは前記電力機器への電源出力ラインおよび／または信号入出力ラインを接続した前記出力電極部を係合、又はプッシュインで接合して電源および／または信号の入出力ラインを形成することを特徴とするスライドファスナー。
【手続補正３】
【補正対象書類名】特許請求の範囲
【補正対象項目名】請求項５
【補正方法】変更
【補正の内容】
【請求項５】
入力側に設けた電源ユニット及び信号ユニットと出力側に設けた電力機器との間にスライドファスナーを介在させ、その閉成作用によって電力機器を機能させる入出力ラインを形成するにあたり、
相対するファスナーテープの開閉端の縁部に沿って向かい合わせに列設されたエレメントとスライダーとから構成され、
前記エレメントは、水平方向の一方に設けた噛み合せ部及び他方に設けたファスナーテープ固定部と、前記水平方向に対して一方の垂直方向に延設し、延設した部分を鉤形に屈曲したエレメント脚部とを備え、前記エレメントを向かい合わせに配置して、向かい合わせに配置したエレメントの噛み合せ部の噛合・離脱に協働して向かい合わせに配置したエレメント脚部の先端を近接・離散して形成する保持部を形成し、
前記エレメント脚部を弾力性のない部材で形成したスライドファスナーの場合、前記スライダーを前記向かい合わせに配置したエレメントに沿って摺動させて前記エレメントを噛合させることにより相対するファスナーテープである水平方向の開閉端を閉成するとともに保持部に入力電極部若しくは出力電極部を同時に係合して一方の垂直方向の開閉端を閉成し、前記エレメント脚部を弾力性のある部材で形成したスライドファスナーの場合、前記スライダーを前記向かい合わせに配置したエレメントに沿って摺動させて前記エレメントを噛合させることにより相対するファスナーテープである水平方向の開閉端を閉成するとともに保持部に前記入力電極部若しくは前記出力電極部を同時に係合、又はプッシュインで後から接合して一方の垂直方向の開閉端を閉成するスライドファスナーであって、
前記水平方向の開閉端及び前記一方の垂直方向の開閉端のうち、一方の開閉端に電源入力ラインおよび／または信号入出力ラインを接続若しくは電源入力ラインおよび／または信号入出力ラインを接続した入力電極部を同時に係合、又はプッシュインで後から接合し、他方の開閉端に前記電力機器への電源出力ラインおよび／または信号入出力ラインを接続若しくは前記電力機器への電源出力ラインおよび／または信号入出力ラインを接続した出力電極部を同時に係合、又はプッシュインで後から接合して電源および／または信号の入出力ラインを形成することを特徴とするスライドファスナー。
【手続補正４】
【補正対象書類名】特許請求の範囲
【補正対象項目名】請求項７
【補正方法】変更
【補正の内容】
【請求項７】
入力側に設けた電源ユニット及び信号ユニットと出力側に設けた電力機器との間にスライドファスナーを介在させ、その閉成作用によってスライドファスナーを複数個連結接続するとともに連結部の途中から外部入出力端部を設けた連結電極部を経由して電力機器を機能させる入出力ラインを形成するにあたり、
相対するファスナーテープの開閉端の縁部に沿って向かい合わせに列設されたエレメントとスライダーとから構成され、
前記エレメントは、水平方向の一方に設けた噛み合せ部及び他方に設けたファスナーテープ固定部と、前記水平方向に対して一方の垂直方向に延設し、延設した部分を鉤形に屈曲したエレメント脚部とを備え、前記エレメントを向かい合わせに配置して、向かい合わせに配置したエレメントの噛み合せ部の噛合・離脱に協働して向かい合わせに配置したエレメント脚部の先端を近接・離散して形成する保持部とを形成し、
前記スライダーを前記向かい合わせに配置したエレメントに沿って摺動させて前記エレメントを噛合させることにより相対するファスナーテープである水平方向の開閉端を閉成するとともに保持部に入力電極部若しくは出力電極部を係合して一方の垂直方向の開閉端を閉成するファスナーユニットを２個備えたスライドファスナーであって、
前記エレメント脚部を弾力性のない部材で形成したファスナーユニットと前記エレメント脚部を弾力性のある部材で形成したファスナーユニットとをそれぞれ備え、
前記２個のファスナーユニットがともに弾力性のない部材で形成したエレメント脚部を有するファスナーユニットの場合、前記２個のファスナーユニットの各スライダーを前記２個のファスナーユニットの向かい合わせに配置したエレメントに沿って摺動させて前記２個のファスナーユニットのエレメントを各々噛み合せるときに２個のファスナーユニットの保持部同士を前記連結電極部を用いて垂直方向に連結し、
前記２個のファスナーユニットの少なくとも一方が弾力性のある部材で形成したエレメント脚部を有するファスナーユニットの場合、他方が弾力性のない部材で形成したエレメント脚部を有するファスナーユニットの場合には前記弾力性のない部材で形成したエレメント脚部を有するファスナーユニットのスライダーを前記ファスナーユニットの向かい合わせに配置したエレメントに沿って摺動させて前記ファスナーユニットのエレメントを噛み合せるときに前記ファスナーユニットの保持部を前記連結電極部を用いて垂直方向に連結し、その後で弾力性のある部材で形成したエレメント脚部を有するファスナーユニットのエレメントを噛み合せるときに保持部を前記連結電極部を用いて同時に連結、又は後から垂直方向にプッシュインで連接し、他方が弾力性のある部材で形成したエレメント脚部を有するファスナーユニットの場合には前記２個のファスナーユニットの各スライダーを前記２個のファスナーユニットの向かい合わせに配置したエレメントに沿って摺動させて前記２個のファスナーユニットのエレメントを各々噛み合せるときに弾力性のある部材で形成したエレメント脚部を有するファスナーユニットの保持部同士を前記連結電極部を用いて連結、又は噛み合せた後で垂直方向にプッシュインで連接して２個のファスナーユニットを重層構造にするとともに、
前記重層構造とした２個のファスナーユニットの水平方向の開閉端のうち、一方のファスナーユニットの水平方向の開閉端に電源入力ラインおよび／または信号入出力ラインを接続し、他方のファスナーユニットの水平方向の開閉端に前記電力機器への電源出力ラインおよび／または信号入出力ラインを接続して電源および／または信号の入出力ラインを形成することを特徴とするスライドファスナー。
【手続補正５】
【補正対象書類名】特許請求の範囲
【補正対象項目名】請求項９
【補正方法】変更
【補正の内容】
【請求項９】
入力側に設けた電源ユニット及び信号ユニットと出力側に設けた電力機器との間にスライドファスナーを介在させ、その閉成作用によって電力機器を機能させる入出力ラインを形成するにあたり、
相対するファスナーテープの開閉端の縁部に沿って向かい合わせに列設されたエレメントとスライダーとから構成され、
前記エレメントは、水平方向の一方に設けた噛み合せ部及び他方に設けたファスナーテープ固定部と、前記水平方向に対して上下の垂直方向に延設し、上方に延設した部分を矢頭形状に形成した係合片及び下方に延設した部分を鉤形に屈曲した係合受片とを備え、前記エレメントを向かい合わせに配置して、向かい合わせに配置したエレメントの噛み合せ部の噛合・離脱に協働して向かい合わせに配置したエレメントの係合片同士で係合部を形成し、向かい合わせに配置したエレメントの係合受片同士で係合受部を形成し、
前記スライダーを前記向かい合わせに配置したエレメントに沿って摺動させて前記エレメントを噛合させることにより相対するファスナーテープである水平方向の開閉端を閉成するとともに下方に延設した係合受部の開閉端を閉成するファスナーユニットを複数個備えたスライドファスナーであって、
前記複数個のファスナーユニットのうち下方に延設した係合受片を弾力性のない部材で形成したファスナーユニットと下方に延設した係合受片を弾力性のある部材で形成したファスナーユニットとをそれぞれ備え、前記複数個のファスナーユニットのうち係合受片が弾力性のない部材で形成したファスナーユニットを重層接続する場合、前記各ファスナーユニットのスライダーを前記各ファスナーユニットのエレメントに沿って摺動させて前記各ファスナーユニットのエレメントを噛み合わせるときに、既に噛み合わせ部が噛み合わされた１つ目のファスナーユニットの係合部を弾力性のない部材で形成した２つ目のファスナーユニットの係合受部に係合して、順次新しいファスナーユニットの係合受部に１つ前のファスナーユニットの係合部を係合し、係合受片が弾力性のある部材で形成したファスナーユニットを重層接続する場合、前記各ファスナーユニットのスライダーを前記各ファスナーユニットのエレメントに沿って摺動させて前記各ファスナーユニットのエレメントを噛み合わせるときに、既に噛み合わせ部が噛み合わされた１つ目のファスナーユニットの係合部を弾力性のある部材で形成した２つ目のファスナーユニットの係合受部に係合して、順次新しいファスナーユニットの係合受部に１つ前のファスナーユニットの係合部を同時に係合又はプッシュインで後から接合して複数のファスナーユニットを重層構造にするとともに、
前記重層構造とした複数個のファスナーユニットの水平方向の開閉端、位置的に最下位のファスナーユニットの係合受部の開閉端のうち、何れか１つに電源入力ラインおよび／または信号入出力ラインを接続若しくは、電源入力ラインおよび／または信号入出力ラインを接続した入力電極部を係合、又はプッシュインで接合し、他の何れかに前記電力機器への電源出力ラインおよび／または信号入出力ラインを接続若しくは、前記電力機器への電源出力ラインおよび／または信号入出力ラインを接続した出力電極部を係合、又はプッシュインで接合して電源および／または信号の入出力ラインを形成することを特徴とするスライドファスナー。
【手続補正６】
【補正対象書類名】明細書
【補正対象項目名】０００６
【補正方法】変更
【補正の内容】
【０００６】
上記目的を達成するため、請求項１のスライドファスナーは、入力側に設けた電源ユニット及び信号ユニットと出力側に設けた電力機器との間にスライドファスナーを介在させ、その閉成作用によって電力機器を機能させる入出力ラインを形成するにあたり、相対するファスナーテープの開閉端の縁部に沿って向かい合わせに列設されたエレメントとスライダーとから構成され、エレメントは、水平方向の一方に設けた噛み合せ部及び他方に設けたファスナーテープ固定部と、前記水平方向に対して上下の垂直方向に延設し、上方の垂直方向に延設した部分を鉤形に屈曲したエレメント上脚部及び下方の垂直方向に延設した部分を鉤形に屈曲したエレメント下脚部とを備え、エレメントを向かい合わせに配置して、向かい合わせに配置したエレメントの噛み合せ部の噛合・離脱に協働して向かい合わせに配置したエレメント上脚部の先端を近接・離散して形成する上方保持部と、向かい合わせに配置したエレメント下脚部の先端を近接・離散して形成する下方保持部とを形成し、エレメント上脚部及びエレメント下脚部をともに弾力性のない部材で形成したスライドファスナーの場合、スライダーを前記向かい合わせに配置したエレメントに沿って摺動させて前記エレメントを噛合させることにより相対するファスナーテープである水平方向の開閉端を閉成するとともに上方保持部及び下方保持部に入力電極部若しくは出力電極部を同時に係合して上下の垂直方向の開閉端を閉成し、前記エレメント上脚部及びエレメント下脚部のうち少なくとも一方を弾力性のある部材で形成したスライドファスナーの場合、前記スライダーを前記向かい合わせに配置したエレメントに沿って摺動させて前記エレメントを噛合させることにより相対するファスナーテープである水平方向の開閉端を閉成するとともに上方保持部及び下方保持部に前記入力電極部若しくは前記出力電極部を同時に係合、又はプッシュインで後から接合して上下の垂直方向の開閉端を閉成するスライドファスナーであって、水平方向の開閉端及び上下の垂直方向の開閉端のうち、何れか１つの開閉端に電源入力ラインおよび／または信号入出力ラインを接続若しくは電源入力ラインおよび／または信号入出力ラインを接続した入力電極部を同時に係合、又はプッシュインで後から接合し、他の開閉端に電力機器への電源出力ラインおよび／または信号入出力ラインを接続若しくは電力機器への電源出力ラインおよび／または信号入出力ラインを接続した出力電極部を同時に係合、又はプッシュインで後から接合して電源および／または信号の入出力ラインを形成することを特徴とするものである。
【手続補正７】
【補正対象書類名】明細書
【補正対象項目名】０００８
【補正方法】変更
【補正の内容】
【０００８】
また、請求項３のスライドファスナーは、入力側に設けた電源ユニット及び信号ユニットと出力側に設けた電力機器との間にスライドファスナーを介在させ、その閉成作用によってスライドファスナーを複数個連結接続するとともに連結部の途中から外部入出力端部を設けた連結電極部を経由して電力機器を機能させる入出力ラインを形成するにあたり、相対するファスナーテープの開閉端の縁部に沿って向かい合わせに列設されたエレメントとスライダーとから構成され、エレメントは、水平方向の一方に設けた噛み合せ部及び他方に設けたファスナーテープ固定部と、水平方向に対して上下の垂直方向に延設し、上方の垂直方向に延設した部分を鉤形に屈曲したエレメント上脚部及び下方の垂直方向に延設した部分を鉤形に屈曲したエレメント下脚部とを備え、エレメントを向かい合わせに配置して、向かい合わせに配置したエレメントの噛み合せ部の噛合・離脱に協働して向かい合わせに配置したエレメント上脚部の先端を近接・離散して形成する上方保持部と、向かい合わせに配置したエレメント下脚部の先端を近接・離散して形成する下方保持部とを形成し、スライダーを向かい合わせに配置したエレメントに沿って摺動させてエレメントを噛合させることにより相対するファスナーテープである水平方向の開閉端を閉成するとともに上方保持部及び下方保持部に入力電極部若しくは出力電極部を係合して上下の垂直方向の開閉端を閉成するファスナーユニットを複数個備えたスライドファスナーであって、エレメント上脚部及び前記エレメント下脚部を弾力性のない部材で形成したファスナーユニットとエレメント上脚部及びエレメント下脚部のうち少なくとも一方を弾力性のある部材で形成したファスナーユニットとをそれぞれ備え、複数個のファスナーユニットが弾力性のない部材で形成したエレメント上脚部及びエレメント下脚部を有するファスナーユニットの場合、各ファスナーユニットのスライダーを各ファスナーユニットの向かい合わせに配置したエレメントに沿って摺動させて各ファスナーユニットのエレメントを噛み合わせるときに１つ目のファスナーユニットの上方保持部と２つ目のファスナーユニットの下方保持部又は１つ目のファスナーユニットの下方保持部と２つ目のファスナーユニットの上方保持部を連結電極部を用いて連結して、順次新しいファスナーユニットの下方保持部と１つ前のファスナーユニットの上方保持部又は順次新しいファスナーユニットの上方保持部と１つ前のファスナーユニットの下方保持部を連結電極部を用いて連結し、複数個のファスナーユニットが少なくとも一方を弾力性のある部材で形成したエレメント上脚部及びエレメント下脚部を有するファスナーユニットの場合、他方が弾力性のない部材で形成したエレメント上脚部及びエレメント下脚部の場合には各ファスナーユニットのスライダーを各ファスナーユニットの向かい合わせに配置したエレメントに沿って摺動させて各ファスナーユニットのエレメントを噛み合わせるときに１つ目のファスナーユニットの上方保持部と２つ目のファスナーユニットの下方保持部又は１つ目のファスナーユニットの下方保持部と２つ目のファスナーユニットの上方保持部を連結電極部を用いて連結して、順次新しいファスナーユニットの下方保持部と１つ前のファスナーユニットの上方保持部又は順次新しいファスナーユニットの上方保持部と１つ前のファスナーユニットの下方保持部を連結電極部を用いて連結し、他方が弾力性のある部材で形成したエレメント上脚部及びエレメント下脚部の場合には各ファスナーユニットのスライダーを各ファスナーユニットの向かい合わせに配置したエレメントに沿って摺動させて各ファスナーユニットのエレメントを噛み合わせるときに１つ目のファスナーユニットの上方保持部と２つ目のファスナーユニットの下方保持部又は１つ目のファスナーユニットの下方保持部と２つ目のファスナーユニットの上方保持部を連結電極部に噛み合せるときに連結、又は後からプッシュインで連接して、順次新しいファスナーユニットの下方保持部と１つ前のファスナーユニットの上方保持部又は順次新しいファスナーユニットの上方保持部と１つ前のファスナーユニットの下方保持部を連結電極部に噛み合せるときに連結、又は後からプッシュインで連接して複数のファスナーユニットを重層構造にするとともに、重層構造とした複数のファスナーユニットの水平方向の開閉端及び最上位置と最下位置のファスナーユニットの垂直方向の開閉端のうち、何れか１つの開閉端に電源入力ラインおよび／または信号入出力ラインを接続若しくは電源入力ラインおよび／または信号入出力ラインを接続した入力電極部を係合、又はプッシュインで接合し、他の開閉端に電力機器への電源出力ラインおよび／または信号入出力ラインを接続若しくは電力機器への電源出力ラインおよび／または信号入出力ラインを接続した出力電極部を係合、又はプッシュインで接合して電源および／または信号の入出力ラインを形成することを特徴とするものである。
【手続補正８】
【補正対象書類名】明細書
【補正対象項目名】００１０
【補正方法】変更
【補正の内容】
【００１０】
また、請求項５のスライドファスナーは、入力側に設けた電源ユニット及び信号ユニットと出力側に設けた電力機器との間にスライドファスナーを介在させ、その閉成作用によって電力機器を機能させる入出力ラインを形成するにあたり、相対するファスナーテープの開閉端の縁部に沿って向かい合わせに列設されたエレメントとスライダーとから構成され、エレメントは、水平方向の一方に設けた噛み合せ部及び他方に設けたファスナーテープ固定部と、水平方向に対して一方の垂直方向に延設し、延設した部分を鉤形に屈曲したエレメント脚部とを備え、エレメントを向かい合わせに配置して、向かい合わせに配置したエレメントの噛み合せ部の噛合・離脱に協働して向かい合わせに配置したエレメント脚部の先端を近接・離散して形成する保持部を形成し、エレメント脚部を弾力性のない部材で形成したスライドファスナーの場合、スライダーを向かい合わせに配置したエレメントに沿って摺動させてエレメントを噛み合させることにより相対するファスナーテープである水平方向の開閉端を閉成するとともに保持部に入力電極部若しくは出力電極部を同時に係合して一方の垂直方向の開閉端を閉成し、エレメント脚部を弾力性のある部材で形成したスライドファスナーの場合、スライダーを向かい合わせに配置したエレメントに沿って摺動させてエレメントを噛み合させることにより相対するファスナーテープである水平方向の開閉端を閉成するとともに保持部に入力電極部若しくは出力電極部を同時に係合、又はプッシュインで後から接合して一方の垂直方向の開閉端を閉成するスライドファスナーであって、水平方向の開閉端及び一方の垂直方向の開閉端のうち、一方の開閉端に電源入力ラインおよび／または信号入出力ラインを接続若しくは電源入力ラインおよび／または信号入出力ラインを接続した入力電極部を同時に係合、又はプッシュインで後から接合し、他方の開閉端に電力機器への電源出力ラインおよび／または信号入出力ラインを接続若しくは電力機器への電源出力ラインおよび／または信号入出力ラインを接続した出力電極部を同時に係合、又はプッシュインで後から接合して電源および／または信号の入出力ラインを形成することを特徴とするものである。
【手続補正９】
【補正対象書類名】明細書
【補正対象項目名】００１２
【補正方法】変更
【補正の内容】
【００１２】
また、請求項７のスライドファスナーは、入力側に設けた電源ユニット及び信号ユニットと出力側に設けた電力機器との間にスライドファスナーを介在させ、その閉成作用によってスライドファスナーを２個連結接続するとともに連結部の途中から外部入出力端部を設けた連結電極部を経由して電力機器を機能させる入出力ラインを形成するにあたり、相対するファスナーテープの開閉端の縁部に沿って向かい合わせに列設されたエレメントとスライダーとから構成され、エレメントは、水平方向の一方に設けた噛み合せ部及び他方に設けたファスナーテープ固定部と、水平方向に対して一方の垂直方向に延設し、延設した部分を鉤形に屈曲したエレメント脚部とを備え、エレメントを向かい合わせに配置して、向かい合わせに配置したエレメントの噛み合せ部の噛合・離脱に協働して向かい合わせに配置したエレメント脚部の先端を近接・離散して形成する保持部とを形成し、スライダーを向かい合わせに配置したエレメントに沿って摺動させてエレメントを噛み合させることにより相対するファスナーテープである水平方向の開閉端を閉成するとともに保持部に入力電極部若しくは出力電極部を係合して一方の垂直方向の開閉端を閉成するファスナーユニットを２個備えたスライドファスナーであって、エレメント脚部を弾力性のない部材で形成したファスナーユニットとエレメント脚部を弾力性のある部材で形成したファスナーユニットとをそれぞれ備え、２個のファスナーユニットがともに弾力性のない部材で形成したエレメント脚部を有するファスナーユニットの場合、２個のファスナーユニットの各スライダーを２個のファスナーユニットの向かい合わせに配置したエレメントに沿って摺動させて２個のファスナーユニットのエレメントを各々噛み合せるときに２個のファスナーユニットの保持部同士を連結電極部を用いて垂直方向に連結し、２個のファスナーユニットの少なくとも一方が弾力性のある部材で形成したエレメント脚部を有するファスナーユニットの場合、他方が弾力性のない部材で形成したエレメント脚部を有するファスナーユニットの場合には弾力性のない部材で形成したエレメント脚部を有するファスナーユニットのスライダーをファスナーユニットの向かい合わせに配置したエレメントに沿って摺動させてファスナーユニットのエレメントを噛み合せるときにファスナーユニットの保持部を連結電極部を用いて垂直方向に連結し、その後で弾力性のある部材で形成したエレメント脚部を有するファスナーユニットのエレメントを噛み合せるときに保持部を連結電極部を用いて同時に連結、又は後から垂直方向にプッシュインで連接し、他方が弾力性のある部材で形成したエレメント脚部を有するファスナーユニットの場合には２個のファスナーユニットの各スライダーを２個のファスナーユニットの向かい合わせに配置したエレメントに沿って摺動させて２個のファスナーユニットのエレメントを各々噛み合せるときに弾力性のある部材で形成したエレメント脚部を有するファスナーユニットの保持部同士を連結電極部を用いて連結、又は噛み合せた後で垂直方向にプッシュインで連接して２個のファスナーユニットを重層構造にするとともに、重層構造とした２個のファスナーユニットの水平方向の開閉端のうち、一方のファスナーユニットの水平方向の開閉端に電源入力ラインおよび／または信号入出力ラインを接続し、他方のファスナーユニットの水平方向の開閉端に電力機器への電源出力ラインおよび／または信号入出力ラインを接続して電源および／または信号の入出力ラインを形成することを特徴とするものである。
【手続補正１０】
【補正対象書類名】明細書
【補正対象項目名】００１４
【補正方法】変更
【補正の内容】
【００１４】
また、請求項９のスライドファスナーは、入力側に設けた電源ユニット及び信号ユニットと出力側に設けた電力機器との間にスライドファスナーを介在させ、その閉成作用によって電力機器を機能させる入出力ラインを形成するにあたり、入力側に設けた電源ユニット及び信号ユニットと出力側に設けた電力機器との間にスライドファスナーを介在させ、その閉成作用によってスライドファスナーの入力側に電源ユニット及び信号ユニットを接続する入力電極部とスライドファスナーの出力側に電力機器を接続する出力電極部とを経由して電力機器を機能させる入出力ラインを形成するにあたり、相対するファスナーテープの開閉端の縁部に沿って向かい合わせに列設されたエレメントとスライダーとから構成され、エレメントは、水平方向の一方に設けた噛み合せ部及び他方に設けたファスナーテープ固定部と、水平方向に対して上下の垂直方向に延設し、上方に延設した部分を矢頭形状に形成した係合片及び下方に延設した部分を鉤形に屈曲した係合受片とを備え、エレメントを向かい合わせに配置して、向かい合わせに配置したエレメントの噛み合せ部の噛合・離脱に協働して向かい合わせに配置したエレメントの係合片同士で係合部を形成し、向かい合わせに配置したエレメントの係合受片同士で係合受部を形成し、スライダーを向かい合わせに配置したエレメントに沿って摺動させてエレメントを噛み合させることにより相対するファスナーテープである水平方向の開閉端を閉成するとともに下方に延設した係合受部の開閉端を閉成するファスナーユニットを複数個備えたスライドファスナーであって、複数個のファスナーユニットのうち下方に延設した係合受片を弾力性のない部材で形成したファスナーユニットと下方に延設した係合受片を弾力性のある部材で形成したファスナーユニットとをそれぞれ備え、複数個のファスナーユニットのうち係合受片が弾力性のない部材で形成したファスナーユニットを重層接続する場合、各ファスナーユニットのスライダーを各ファスナーユニットのエレメントに沿って摺動させて各ファスナーユニットのエレメントを噛み合わせるときに、既に噛み合わせ部が噛み合わされた１つ目のファスナーユニットの係合部を弾力性のない部材で形成した２つ目のファスナーユニットの係合受部に係合して、順次新しいファスナーユニットの係合受部に１つ前のファスナーユニットの係合部を係合し、係合受片が弾力性のある部材で形成したファスナーユニットを重層接続する場合、各ファスナーユニットのスライダーを各ファスナーユニットのエレメントに沿って摺動させて各ファスナーユニットのエレメントを噛み合わせるときに、既に噛み合わせ部が噛み合わされた１つ目のファスナーユニットの係合部を弾力性のある部材で形成した２つ目のファスナーユニットの係合受部に係合して、順次新しいファスナーユニットの係合受部に１つ前のファスナーユニットの係合部を同時に係合又はプッシュインで後から接合して複数のファスナーユニットを重層構造にするとともに、重層構造とした複数個のファスナーユニットの水平方向の開閉端、位置的に最下位のファスナーユニットの係合受部の開閉端のうち、何れか１つに電源入力ラインおよび／または信号入出力ラインを接続若しくは、電源入力ラインおよび／または信号入出力ラインを接続した入力電極部を係合、又はプッシュインで接合し、他の何れかに電力機器への電源出力ラインおよび／または信号入出力ラインを接続若しくは、電力機器への電源出力ラインおよび／または信号入出力ラインを接続した出力電極部を係合、又はプッシュインで接合して電源および／または信号の入出力ラインを形成することを特徴とするものである。
【手続補正１１】
【補正対象書類名】明細書
【補正対象項目名】００１８
【補正方法】変更
【補正の内容】
【００１８】
また、水平方向の一方に設けた噛み合せ部及び他方に設けたファスナーテープ固定部と、水平方向に対して垂直方向に延設し、延設した部分を鉤形に屈曲した脚部とを備えたエレメントを向かい合わせに配置して、向かい合わせに配置したエレメントの噛み合せ部の噛合・離脱に協働して向かい合わせに配置した脚部の先端を近接・離散して形成する保持部を形成し、スライダーを向かい合わせに配置したエレメントに沿って摺動させてエレメントを噛み合させて相対するファスナーテープである水平方向の開閉端を閉成するとともに保持部に入力電極部若しくは出力電極部を係合して垂直方向の開閉端を閉成することにより、スライドファスナーの水平方向の開閉端及び垂直方向の開閉端に電源ユニット及び信号ユニット並びに多岐にわたる電力機器を任意の位置に配設し機能させることができる。また、信号ユニットにより電力機器を任意にコントロールすることができる。
【手続補正１２】
【補正対象書類名】明細書
【補正対象項目名】００１９
【補正方法】変更
【補正の内容】
【００１９】
さらに、垂直方向に延設した脚部を弾力性のない部材で形成したスライドファスナーの場合、スライダーを向かい合わせに配置したエレメントに沿って摺動させてエレメントを噛み合させて相対するファスナーテープである水平方向の開閉端を閉成するとともに保持部に入力電極部若しくは出力電極部を同時に係合して垂直方向の開閉端を閉成させることにより、電力機器をスライドファスナーの任意の位置にスライダーにより固定することができる。また、垂直方向に延設した脚部を弾力性のある部材で形成したスライドファスナーの場合、スライダーを向かい合わせに配置したエレメントに沿って摺動させてエレメントを噛み合させて相対するファスナーテープである水平方向の開閉端を閉成するとともに保持部に入力電極部若しくは出力電極部を同時に係合、又はプッシュインで後から接合して垂直方向の開閉端を閉成させることにより、電力機器をスライドファスナーの任意の位置にスライダーにより固定することも、後からプッシュインにより追加設置して固定することもできる。
【手続補正１３】
【補正対象書類名】明細書
【補正対象項目名】００３０
【補正方法】変更
【補正の内容】
【００３０】
図４は、第一実施例のスライドファスナーにおけるエレメントとスライダーを用いて電源および／または信号の入出力ラインを形成するスライドファスナーＳＦ１の斜視図、図５（ａ）は、第一実施例に示したスライドファスナーＳＦ１のスライダー３０をエレメント２０に沿って摺動させることにより閉成する水平方向Ｈ１の開閉端Ｈ１Ｔ、上下の垂直方向Ｖ１１、Ｖ１２の開閉端Ｖ１１Ｔ、Ｖ１２Ｔを示した概念図である。図４において、エレメント２０のエレメント上脚部２０Ｖ１、エレメント下脚部２０Ｖ２をともに弾力性のない部材で形成した場合、スライダー３０を向かい合わせに配置したエレメント２０、２０に沿って摺動させてエレメントを噛み合させることにより相対するファスナーテープ１０である水平方向Ｈ１の開閉端Ｈ１Ｔを閉成するとともに上方保持部２０Ｖ１Ｒ及び下方保持部２０Ｖ２Ｒに入力電極部Ｌ１Ｐ若しくは出力電極部Ｌ２Ｐを同時に係合することにより上下の垂直方向Ｖ１１、Ｖ１２の開閉端Ｖ１１Ｔ、Ｖ１２Ｔを閉成し、水平方向Ｈ１の開閉端Ｈ１Ｔ及び上下の垂直方向Ｖ１１、Ｖ１２の開閉端Ｖ１１Ｔ、Ｖ１２Ｔのうち、何れか１つの開閉端に電源入力ラインＬ１および／または信号入出力ラインＳＬを接続若しくは電源入力ラインＬ１および／または信号入出力ラインＳＬを接続した入力電極部Ｌ１Ｐを同時に係合し、他の開閉端に電力機器ＤＫへの電源出力ラインＬ２および／または信号入出力ラインＳＬを接続若しくは電力機器ＤＫへの電源出力ラインＬ２および／または信号入出力ラインＳＬを接続した出力電極部Ｌ２Ｐを同時に係合して電源および／または信号の入出力ラインＬ１２を形成する。
【手続補正１４】
【補正対象書類名】明細書
【補正対象項目名】００３１
【補正方法】変更
【補正の内容】
【００３１】
また、エレメント２０のエレメント上脚部２０Ｖ１、エレメント下脚部２０Ｖ２のうち少なくとも一方を弾力性のある部材で形成した場合、スライダー３０を向かい合わせに配置したエレメント２０、２０に沿って摺動させてエレメントを噛み合させることにより相対するファスナーテープ１０である水平方向Ｈ１の開閉端Ｈ１Ｔを閉成するとともに上方保持部２０Ｖ１Ｒ及び下方保持部２０Ｖ２Ｒに入力電極部Ｌ１Ｐ若しくは出力電極部Ｌ２Ｐを同時に係合、又はプッシュインで後から接合することにより上下の垂直方向Ｖ１１、Ｖ１２の開閉端Ｖ１１Ｔ、Ｖ１２Ｔを閉成し、水平方向Ｈ１の開閉端Ｈ１Ｔ及び上下の垂直方向Ｖ１１、Ｖ１２の開閉端Ｖ１１Ｔ、Ｖ１２Ｔのうち、何れか１つの開閉端に電源入力ラインＬ１および／または信号入出力ラインＳＬを接続若しくは電源入力ラインＬ１および／または信号入出力ラインＳＬを接続した入力電極部Ｌ１Ｐを同時に係合、又はプッシュインで後から接合し、他の開閉端に電力機器ＤＫへの電源出力ラインＬ２および／または信号入出力ラインＳＬを接続若しくは電力機器ＤＫへの電源出力ラインＬ２および／または信号入出力ラインＳＬを接続した出力電極部Ｌ２Ｐを同時に係合、又はプッシュインで後から接合して電源および／または信号の入出力ラインＬ１２を形成する。
【手続補正１５】
【補正対象書類名】明細書
【補正対象項目名】００４１
【補正方法】変更
【補正の内容】
【００４１】
図７（１）は、第一実施例に示したスライドファスナーＳＦ１をファスナーユニットＦＵ１として複数個、例えば３個備え、１つ目のファスナーユニットＦＵ１１の上方保持部２０Ｖ１Ｒと２つ目のファスナーユニットＦＵ１２の下方保持部２０Ｖ２Ｒを連結電極部ＲＥＰを用いて連結、又は後からプッシュインで連接して、順次新しいファスナーユニットＦＵ１３の下方保持部と１つ前のファスナーユニットＦＵ１２の上方保持部を連結電極部を用いて連結、又は後からプッシュインで連接して重層構造とした３個のファスナーユニットＦＵ１１、ＦＵ１２、ＦＵ１３の各スライダー３０をエレメント２０、２０に沿って摺動させることにより閉成する水平方向Ｈ１の開閉端Ｈ１Ｔ１、Ｈ１Ｔ２、Ｈ１Ｔ３、最上位置と最下位置のファスナーユニットの垂直方向Ｖ１１、Ｖ１２の開閉端Ｖ１１Ｔ、Ｖ１２Ｔを示した概念図であり水平方向Ｈ１の開閉端Ｈ１Ｔ１、Ｈ１Ｔ２、Ｈ１Ｔ３、最上位置と最下位置の垂直方向Ｖ１１、Ｖ１２の開閉端Ｖ１１Ｔ、Ｖ１２Ｔのうち、何れか１つの開閉端に電源入力ラインＬ１および／または信号入出力ラインＳＬを接続若しくは電源入力ラインＬ１および／または信号入出力ラインＳＬを接続した入力電極部Ｌ１Ｐを係合し、他の開閉端に電力機器ＤＫへの電源出力ラインＬ２および／または信号入出力ラインＳＬを接続若しくは電力機器ＤＫへの電源出力ラインＬ２および／または信号入出力ラインＳＬを接続した出力電極部Ｌ２Ｐを係合して入出力ラインＬ１２を形成する組み合わせのパターンは、図７（２）〜図７（７６）に示すように、７５種類の組み合わせがある。なお、図７（２）〜図７（７６）の組み合わせパターンは、図７（１）に示すように、３個のファスナーユニットを重層構造とした一例であるが、他の数のファスナーユニットの場合でも組み合わせパターンの種類は同様に計算することが出来る。
【手続補正１６】
【補正対象書類名】明細書
【補正対象項目名】００５１
【補正方法】変更
【補正の内容】
【００５１】
図１０は、第二実施例のスライドファスナーにおけるエレメントとスライダーを用いて電源および／または信号の入出力ラインを形成するスライドファスナーＳＦ４の斜視図、図１１（ａ）は、第二実施例に示したスライドファスナーＳＦ４のスライダー６０をエレメント５０に沿って摺動させることにより閉成する水平方向Ｈ５の開閉端Ｈ５Ｔ、一方の垂直方向Ｖ５１の開閉端Ｖ５１Ｔを示した概念図である。図１０において、エレメント５０のエレメント脚部５０Ｖ１を弾力性のない部材で形成したスライドファスナーの場合、スライダー６０を向かい合わせに配置したエレメント５０、５０に沿って摺動させてエレメントを噛み合させることにより相対するファスナーテープ４０である水平方向Ｈ５の開閉端Ｈ５Ｔを閉成するとともに保持部５０Ｖ１Ｒに入力電極部Ｌ１Ｐ若しくは出力電極部Ｌ２Ｐを同時に係合して一方の垂直方向Ｖ５１の開閉端Ｖ５１Ｔを閉成し、水平方向Ｈ５の開閉端Ｈ５Ｔ及び一方の垂直方向Ｖ５１の開閉端のうち、何れか１つの開閉端に電源入力ラインＬ１および／または信号入出力ラインＳＬを接続若しくは電源入力ラインＬ１および／または信号入出力ラインＳＬを接続した入力電極部Ｌ１Ｐを同時に係合し、他の開閉端に電力機器ＤＫへの電源出力ラインＬ２および／または信号入出力ラインＳＬを接続若しくは電力機器ＤＫへの電源出力ラインＬ２および／または信号入出力ラインＳＬを接続した出力電極部Ｌ２Ｐを同時に係合して電源および／または信号の入出力ラインＬ１２を形成する。
【手続補正１７】
【補正対象書類名】明細書
【補正対象項目名】００５２
【補正方法】変更
【補正の内容】
【００５２】
また、エレメント５０のエレメント脚部５０Ｖ１を弾力性のある部材で形成したスライドファスナーの場合、スライダー６０を向かい合わせに配置したエレメント５０、５０に沿って摺動させてエレメントを噛み合させることにより相対するファスナーテープ４０である水平方向Ｈ５の開閉端Ｈ５Ｔを閉成するとともに保持部５０Ｖ１Ｒに入力電極部Ｌ１Ｐ若しくは出力電極部Ｌ２Ｐを同時に係合、又はプッシュインで後から接合して一方の垂直方向Ｖ１の開閉端Ｖ１Ｔを閉成し、水平方向Ｈ５の開閉端Ｈ５Ｔ及び一方の垂直方向Ｖ５１の開閉端のうち、何れか１つの開閉端に電源入力ラインＬ１および／または信号入出力ラインＳＬを接続若しくは電源入力ラインＬ１および／または信号入出力ラインＳＬを接続した入力電極部Ｌ１Ｐを同時に係合、又はプッシュインで後から接合し、他の開閉端に電力機器ＤＫへの電源出力ラインＬ２および／または信号入出力ラインＳＬを接続若しくは電力機器ＤＫへの電源出力ラインＬ２および／または信号入出力ラインＳＬを接続した出力電極部Ｌ２Ｐを同時に係合、又はプッシュインで後から接合して電源および／または信号の入出力ラインＬ１２を形成する。
【手続補正１８】
【補正対象書類名】明細書
【補正対象項目名】００５７
【補正方法】変更
【補正の内容】
【００５７】
図１３（ａ）は、第二実施例に示したスライドファスナーＳＦ４をファスナーユニットＦＵ４として２個備え、２個のファスナーユニットの保持部５０Ｖ１Ｒ同士を連結電極部ＲＥＰを用いて連結して重層構造とした２個のファスナーユニットの各スライダーを２個のファスナーユニットの向かい合わせに配置したエレメントに沿って摺動させることにより閉成する水平方向Ｈ５の開閉端Ｈ５Ｔ１、Ｈ５Ｔ２を示した概念図であり、重層構造とした２個のファスナーユニットの水平方向Ｈ５の開閉端のうち、一方のファスナーユニットの水平方向Ｈ５の開閉端Ｈ５Ｔ１に電源入力ラインＬ１および／または信号入出力ラインＳＬを接続し、他方のファスナーユニットの水平方向Ｈ５の開閉端Ｈ５Ｔ１に電力機器ＤＫへの電源出力ラインＬ２および／または信号入出力ラインＳＬを接続して電源および／または信号の入出力ラインＬ１２を形成する組み合わせのパターンは、図１３（ｂ）、図１３（ｃ）に示すように、２種類の組み合わせがある。
【手続補正１９】
【補正対象書類名】明細書
【補正対象項目名】００６８
【補正方法】変更
【補正の内容】
【００６８】
図１７（ａ）は、第三実施例に示したスライドファスナーＳＦ７をファスナーユニットＦＵ７として複数個備え、既にエレメント８０の噛み合せ部８０Ｈ１が噛み合されて形成された１つ目のファスナーユニットＦＵ７１のエレメント係合部８０Ｖ１Ｒを２つ目のファスナーユニットＦＵ７２のエレメント係合受部８０Ｖ２Ｒに係合して、順次新しいファスナーユニットのエレメント係合受部に１つ前のファスナーユニットのエレメント係合部を係合して重層構造とした複数のファスナーユニットの各スライダー９０をエレメント８０、８０に沿って摺動させることにより閉成する水平方向Ｈ８の開閉端Ｈ８Ｔ１、Ｈ８Ｔ２、位置的に最下位のファスナーユニットの係合受部の開閉端Ｖ８Ｔを示した概念図であり、例えば２個のファスナーユニットＦＵ７１、ＦＵ７２を重層構造とした場合、水平方向Ｈ８の開閉端Ｈ８Ｔ１、Ｈ８Ｔ２、位置的に最下位のファスナーユニットの係合受部の開閉端Ｖ８Ｔのうち、何れか１つに電源入力ラインＬ１および／または信号入出力ラインＳＬを接続若しくは電源入力ラインＬ１および／または信号入出力ラインＳＬを接続した入力電極部Ｌ１Ｐを係合、又はプッシュインで接合し、他の何れかに電力機器ＤＫへの電源出力ラインＬ２および／または信号入出力ラインＳＬを接続若しくは、電力機器ＤＫへの電源出力ラインＬ２および／または信号入出力ラインＳＬを接続した出力電極部Ｌ２Ｐを係合、又はプッシュインで接合して電源および／または信号の入出力ラインＬ１２を形成する組み合わせのパターンは、図１７（ｂ）〜図１７（ｊ）に示すように９種類の組み合わせがある。